(57)【要約】【課題】低コスト化が可能な金券類管理システムを提供する。【解決手段】金券類Ｓに表示された券番号が手入力される入力手段３１と、入力手段３１に手入力された券番号と関連付けて金券類の在庫を管理する管理手段３４，３５と、金券類Ｓの取り扱い操作が行われる操作手段３１と、操作手段３１に行われる取り扱い操作に応じて、管理手段３４，３５で管理される券番号の情報を表示する表示手段３１と、を備える。これにより、金券類の券番号を機械的に読み取るリーダが備えられていなくても、券番号と関連付けた金券類の在庫の管理が可能になる。【選択図】図１
2020126605.tif 000002
【特許請求の範囲】
【請求項１】
金券類に表示された券番号が手入力される入力手段と、
前記入力手段に手入力された券番号と関連付けて金券類の在庫を管理する管理手段と、
金券類の取り扱い操作が行われる操作手段と、
前記操作手段に行われる取り扱い操作に応じて、前記管理手段で管理される券番号の情報を表示する表示手段と、
を備えることを特徴とする金券類管理システム。
【請求項２】
金券類を保管する大金庫と、
前記大金庫の金券類が一部格納される持ち運び可能な取引用保管庫と、を有し、
前記管理手段は、前記大金庫内の金券類および前記取引用保管庫内の金券類の在庫を管理することを特徴とする請求項１記載の金券類管理システム。
【請求項３】
金券類は、所定の纏まった枚数の束状態およびそれ未満の端数枚数のバラ状態とで在庫管理されており、
前記操作手段によって金券類の前記端数枚数での払い出し操作が行われると、前記管理手段で管理されている最も小さい券番号と、該最も小さい券番号に当該端数枚数を加算して１を減算した券番号との両方を前記表示手段に表示することを特徴とする請求項１または２記載の金券類管理システム。
【請求項４】
金券類は、所定の纏まった枚数の束状態およびそれ未満の端数枚数のバラ状態とで在庫管理されており、
前記操作手段によって金券類の前記所定の纏まった枚数での払い出し操作が行われ、前記管理手段で管理される束状態の金券類の最も小さい券番号が最初の券番号として入力されると、前記管理手段で管理される当該束状態の金券類の最も大きい券番号を最後の券番号として前記表示手段に表示することを特徴とする請求項１乃至３のいずれか一項記載の金券類管理システム。
【請求項５】
前記取引用保管庫内の金券類の在庫について現物の券番号と前記管理手段に記憶されている在庫の券番号との不一致が確認された際に、前記操作手段は、当該不一致が確認された金券類すべてについて一致するよう補正を行う洗い替え操作が可能であることを特徴とする請求項２記載の金券類管理システム。
【請求項６】
前記操作手段で洗い替え操作が行われた際に、当日の取引開始前に前記管理手段に記憶されていた金券類の券番号以外の券番号に補正を行おうとした際に、これを検知して警告を行う警告手段を備えていることを特徴とする請求項５記載の金券類管理システム。
【請求項７】
前記操作手段は、入力された金券類の券番号を払い出し対象から排除する排除処理が可能であることを特徴とする請求項１乃至６のいずれか一項記載の金券類管理システム。
【請求項８】
金券類に表示された券番号が手入力される入力手段と、
前記入力手段に手入力された券番号と関連付けて金券類の在庫を管理する管理手段と、
金券類の取り扱い操作が行われる操作手段と、
前記操作手段に行われる取り扱い操作に応じて、前記管理手段で管理される券番号の情報を表示する表示手段と、
を備え、
金券類は、所定の纏まった枚数の束状態およびそれ未満の端数枚数のバラ状態とで在庫管理されており、
前記操作手段によって金券類の前記端数枚数での予約払い出し操作が行われると、前記管理手段で管理されている最も小さい券番号と、該最も小さい券番号に当該端数枚数を加算して１を減算した券番号との両方を前記表示手段に表示することを特徴とする金券類管理システム。
【請求項９】
金券類に表示された券番号が手入力される入力手段と、
前記入力手段に手入力された券番号と関連付けて金券類の在庫を管理する管理手段と、
金券類の取り扱い操作が行われる操作手段と、
前記操作手段に行われる取り扱い操作に応じて、前記管理手段で管理される券番号の情報を表示する表示手段と、
を備え、
金券類は、所定の纏まった枚数の束状態およびそれ未満の端数枚数のバラ状態とで在庫管理されており、
前記操作手段によって金券類の前記所定の纏まった枚数での予約払い出し操作が行われ、前記管理手段で管理される束状態の金券類の最も小さい券番号が最初の券番号として入力されると、前記管理手段で管理される当該束状態の金券類の最も大きい券番号を最後の券番号として前記表示手段に表示することを特徴とする金券類管理システム。
【請求項１０】
前記予約払い出し操作での金券類の払い出しデータは販売集計には計上されず、予約集計に計上されることを特徴とする請求項８または９記載の金券類管理システム。
【請求項１１】
前記予約集計の中から販売する金券類のデータが選択されると、該選択された販売する金券類のデータは前記予約集計から前記販売集計に付け替えられることを特徴とする請求項１０記載の金券類管理システム。
【発明の詳細な説明】
【技術分野】
【０００１】
本発明は、金券類管理システムに関する。
【背景技術】
【０００２】
商品券等の金券の在庫の管理を行う金券管理システムがある（例えば、特許文献１参照）。この種の金券管理システムでは、金券の在庫を管理するために、金券に付された金券番号を機械的に読み取るためのマークリーダ（ＯＣＲ，ＭＩＣＲ，磁性インキの読み取り装置等）を備えている。
【先行技術文献】
【特許文献】
【０００３】
【特許文献１】特開平７−１２１７７７号公報
【発明の概要】
【発明が解決しようとする課題】
【０００４】
ところで、例えば、商品券等の金券類の売り場においては、このような券番号を機械的に読み取る手段を備えた金券類管理システムを配置するとコスト高となってしまう。このため、低コストの金券類管理システムが求められている。
【０００５】
本発明は、低コスト化が可能な金券類管理システムの提供を目的とする。
【課題を解決するための手段】
【０００６】
上記目的を達成するために、本発明に係る第１の態様は、金券類に表示された券番号が手入力される入力手段と、前記入力手段に手入力された券番号と関連付けて金券類の在庫を管理する管理手段と、金券類の取り扱い操作が行われる操作手段と、前記操作手段に行われる取り扱い操作に応じて、前記管理手段で管理される券番号の情報を表示する表示手段と、を備えることを特徴とする。
【０００７】
上記第１の態様によれば、金券類の券番号を機械的に読み取るリーダが備えられていなくても、券番号と関連付けた金券類の在庫の管理が可能になるため、券番号の情報を活用しつつ低コスト化が可能となって、廉価版の金券類管理システムを実現することができる。
【０００８】
本発明に係る第２の態様は、上記第１の態様において、金券類を保管する大金庫と、前記大金庫の金券類が一部格納される持ち運び可能な取引用保管庫と、を有し、前記管理手段は、前記大金庫内の金券類および前記取引用保管庫内の金券類の在庫を管理することを特徴とする。
【０００９】
上記第２の態様によれば、大金庫内から必要とする一部の金券類を取引用保管庫で金券類売り場へ移送する運用であっても、大金庫および金券類売り場各々での金券類の管理が可能になる。
【００１０】
本発明に係る第３の態様は、上記第１または第２の態様において、金券類は、所定の纏まった枚数の束状態およびそれ未満の端数枚数のバラ状態とで在庫管理されており、前記操作手段によって金券類の前記端数枚数での払い出し操作が行われると、前記管理手段で管理されている最も小さい券番号と、該最も小さい券番号に当該端数枚数を加算して１を減算した券番号との両方を前記表示手段に表示することを特徴とする。
【００１１】
上記第３の態様によれば、バラ状態の金券類の払い出し操作が行われた際に、その最初の券番号と最後の券番号とが自動で表示手段に表示されるので、払い出しの際の金券類の現物チェックが券番号によって可能となる。
【００１２】
本発明に係る第４の態様は、上記第１乃至第３のいずれか一態様において、金券類は、所定の纏まった枚数の束状態およびそれ未満の端数枚数のバラ状態とで在庫管理されており、前記操作手段によって金券類の前記所定の纏まった枚数での払い出し操作が行われ、前記管理手段で管理される束状態の金券類の最も小さい券番号が最初の券番号として入力されると、前記管理手段で管理される当該束状態の金券類の最も大きい券番号を最後の券番号として前記表示手段に表示することを特徴とする。
【００１３】
上記第４の態様によれば、束状態の金券類の払い出し操作が行われた際に、その最初の券番号が入力されると、最後の券番号が自動で表示手段に表示されるので、払い出しの際の金券類の現物チェックが券番号によって可能となる。
【００１４】
本発明に係る第５の態様は、上記第２の態様において、前記取引用保管庫内の金券類の在庫について現物の券番号と前記管理手段に記憶されている在庫の券番号との不一致が確認された際に、前記操作手段は、当該不一致が確認された金券類すべてについて一致するよう補正を行う洗い替え操作が可能であることを特徴とする。
【００１５】
上記第５の態様によれば、間違った券番号の金券類をお客へ渡してしまったような場合でも、洗い替え操作によって、残った在庫の金券類について、管理手段に記憶された券番号を、正しい現物の金券類の券番号に訂正することが可能となる。
【００１６】
本発明に係る第６の態様は、上記第５の態様において、前記操作手段で洗い替え操作が行われた際に、当日の取引開始前に前記管理手段に記憶されていた金券類の券番号以外の券番号に補正を行おうとした際に、これを検知して警告を行う警告手段を備えていることを特徴とする。
【００１７】
上記第６の態様によれば、洗い替え操作の際に、訂正できない券番号が入力された場合には警告が行われるので操作員にオペレーションミスを気づかせることが可能となる。
【００１８】
本発明に係る第７の態様は、上記第１乃至第６のいずれか一態様において、前記操作手段は、入力された金券類の券番号を払い出し対象から排除する排除処理が可能であることを特徴とする。
【００１９】
上記第７の態様によれば、金券類に不備（汚れや破れ等）が発覚した場合に、当該金券類を払い出し対象から排除すると共に、当該金券類の券番号を管理可能になる。
【００２０】
本発明に係る第８の態様は、金券類に表示された券番号が手入力される入力手段と、前記入力手段に手入力された券番号と関連付けて金券類の在庫を管理する管理手段と、金券類の取り扱い操作が行われる操作手段と、前記操作手段に行われる取り扱い操作に応じて、前記管理手段で管理される券番号の情報を表示する表示手段と、を備え、金券類は、所定の纏まった枚数の束状態およびそれ未満の端数枚数のバラ状態とで在庫管理されており、前記操作手段によって金券類の前記端数枚数での予約払い出し操作が行われると、前記管理手段で管理されている最も小さい券番号と、該最も小さい券番号に当該端数枚数を加算して１を減算した券番号との両方を前記表示手段に表示することを特徴とする。
【００２１】
上記第８の態様によれば、金券類の券番号を機械的に読み取るリーダが備えられていなくても、券番号と関連付けた金券類の在庫の管理が可能になるため、券番号の情報を活用しつつ低コスト化が可能となって、廉価版の金券類管理システムを実現することができる。また、バラ状態の金券類の予約払い出し操作が行われた際に、その最初の券番号と最後の券番号とが自動で表示手段に表示されるので、払い出しの際の金券類の現物チェックが券番号によって可能となる。
【００２２】
本発明に係る第９の態様は、金券類に表示された券番号が手入力される入力手段と、前記入力手段に手入力された券番号と関連付けて金券類の在庫を管理する管理手段と、金券類の取り扱い操作が行われる操作手段と、前記操作手段に行われる取り扱い操作に応じて、前記管理手段で管理される券番号の情報を表示する表示手段と、を備え、金券類は、所定の纏まった枚数の束状態およびそれ未満の端数枚数のバラ状態とで在庫管理されており、前記操作手段によって金券類の前記所定の纏まった枚数での予約払い出し操作が行われ、前記管理手段で管理される束状態の金券類の最も小さい券番号が最初の券番号として入力されると、前記管理手段で管理される当該束状態の金券類の最も大きい券番号を最後の券番号として前記表示手段に表示することを特徴とする。
【００２３】
上記第９の態様によれば、金券類の券番号を機械的に読み取るリーダが備えられていなくても、券番号と関連付けた金券類の在庫の管理が可能になるため、券番号の情報を活用しつつ低コスト化が可能となって、廉価版の金券類管理システムを実現することができる。また、束状態の金券類の予約払い出し操作が行われた際に、その最初の券番号が入力されると、最後の券番号が自動で表示手段に表示されるので、払い出しの際の金券類の現物チェックが券番号によって可能となる。
【００２４】
本発明に係る第１０の態様は、上記第８または第９の態様において、前記予約払い出し操作での金券類の払い出しデータは販売集計には計上されず、予約集計に計上されることを特徴とする。
【００２５】
上記第１０の態様によれば、予約払い出し操作での金券類の払い出しデータは販売集計には計上されず、予約集計に計上されるため、売上が立っていない予約払い出し操作での金券類の払い出しデータを、販売集計に計上しないようにできる。
【００２６】
本発明に係る第１１の態様は、上記第１０の態様において、前記予約集計の中から販売する金券類のデータが選択されると、該選択された販売する金券類のデータは前記予約集計から前記販売集計に付け替えられることを特徴とする。
【００２７】
上記第１１の態様によれば、予約集計の中から販売する金券類のデータが選択されると、該選択された販売する金券類のデータは予約集計から販売集計に付け替えられるため、売上が立った金券類の払い出しデータを、予約集計から販売集計に付け替えることができる。
【発明の効果】
【００２８】
本発明によれば、低コスト化が可能な金券類管理システムを提供することができる。
【図面の簡単な説明】
【００２９】
【図１】本発明に係る金券類管理システムの実施形態である商品券管理システムを概略的に示す構成図である。
【図２】本発明に係る金券類管理システムの実施形態である商品券管理システムで管理される商品券のバラ券を概略的に示す平面図である。
【図３】本発明に係る金券類管理システムの実施形態である商品券管理システムで管理される商品券の券束を概略的に示す平面図である。
【図４】本発明に係る金券類管理システムの実施形態である商品券管理システムの入庫画面の表示例を示す図である。
【図５】本発明に係る金券類管理システムの実施形態である商品券管理システムの入庫取消画面の表示例を示す図である。
【図６】本発明に係る金券類管理システムの実施形態である商品券管理システムの補充画面の表示例を示す図である。
【図７】本発明に係る金券類管理システムの実施形態である商品券管理システムの補充取消画面の表示例を示す図である。
【図８】本発明に係る金券類管理システムの実施形態である商品券管理システムの払出画面の表示例を示す図である。
【図９】本発明に係る金券類管理システムの実施形態である商品券管理システムの払出画面の表示例を示す図である。
【図１０】本発明に係る金券類管理システムの実施形態である商品券管理システムの取消確認画面の表示例を示す図である。
【図１１】本発明に係る金券類管理システムの実施形態である商品券管理システムの排除画面の表示例を示す図である。
【図１２】本発明に係る金券類管理システムの実施形態である商品券管理システムの販売集計の印字例を示す図である。
【図１３】本発明に係る金券類管理システムの実施形態である商品券管理システムの在庫集計の印字例を示す図である。
【図１４】本発明に係る金券類管理システムの実施形態である商品券管理システムの洗い替え画面の表示例を示す図である。
【図１５】本発明に係る金券類管理システムの実施形態である商品券管理システムの洗い替え画面の表示例を示す図である。
【図１６】本発明に係る金券類管理システムの実施形態である商品券管理システムの商品券予約払出画面の表示例を示す図である。
【図１７】本発明に係る金券類管理システムの実施形態である商品券管理システムの商品券予約払出画面の表示例を示す図である。
【図１８】本発明に係る金券類管理システムの実施形態である商品券管理システムの予約集計の印字例を示す図である。
【図１９】本発明に係る金券類管理システムの実施形態である商品券管理システムの在庫集計の印字例を示す図である。
【発明を実施するための形態】
【００３０】
本発明に係る金券類管理システムの実施形態を図面を参照して以下に説明する。
【００３１】
金券類管理システムの実施形態は、金券類として商品券の販売およびそれに伴う在庫の管理を行う商品券管理システム１１である。商品券管理システム１１は、商品券を販売する百貨店等の店舗に設置される。図１に示すように、商品券管理システム１１は、店舗内の管理室に設置されて商品券Ｓを商品券保管領域１７に保管する持ち運び不可な大元の大金庫１２と、商品券Ｓを大金庫１２と商品券売り場との間で運搬する際に格納する持ち運び可能な手提げ金庫等の取引用保管庫１３と、を有している。大金庫１２には、商品券保管領域１７とは別に、取引用保管庫１３を保管する保管庫保管領域１８が設けられている。
【００３２】
さらに、商品券管理システム１１は、商品券売り場に設置されて商品券Ｓを機械的に計数して設定枚数だけ払い出す商品券払出装置１５と、商品券売り場に設置されて商品券Ｓの販売およびそれに伴う在庫の管理を行う商品券管理装置１６と、を有している。商品券払出装置１５の作動は商品券管理装置１６によって制御される。
【００３３】
取引用保管庫１３には、大金庫１２の商品券保管領域１７に保管されている商品券Ｓの中から、販売用として商品券売り場に運搬される一部の商品券Ｓが後述する補充処理を経て格納されることになり、商品券Ｓは取引用保管庫１３に格納された状態で商品券売り場に運搬されて、取引用保管庫１３から取り出されて後述する払い出し処理を経て販売される。
【００３４】
ここで、取引用保管庫１３は、商品券Ｓを格納したまま、大金庫１２の保管庫保管領域１８に保管される運用となっている。すなわち、取引用保管庫１３から商品券Ｓを取り出して大金庫１２に保管することはない運用となっている。また、取引用保管庫１３に収納された商品券Ｓは、取引用保管庫１３とともに大金庫１２に収納されても、大金庫１２の在庫としては扱わず、取引用保管庫１３の在庫として扱う運用となっている。
【００３５】
商品券払出装置１５は、操作員による手動により商品券Ｓが集積状態でセットされる投入口２１と、投入口２１にセットされた商品券Ｓを一枚ずつに分離し取り込んで計数しつつ繰り出す計数繰出部２２と、計数繰出部２２で繰り出された商品券Ｓを取り出し可能に集積させる払出口２３と、計数繰出部２２を制御する払出装置制御部２４と、を有している。商品券払出装置１５は、払出装置制御部２４が商品券管理装置１６からの指令信号に基づいて、設定された枚数の商品券Ｓを、投入口２１から計数繰出部２２で計数しつつ繰り出して払出口２３に集積させる。
【００３６】
商品券払出装置１５は、その前面側の上部に投入口２１が設けられており、その前面側の下部に払出口２３が設けられている。投入口２１には、上下に集積された状態で商品券Ｓがセットされることになり、計数繰出部２２は投入口２１にセットされた商品券Ｓを下側のものから順に取り込む。また、計数繰出部２２は、取り込んだ順に商品券Ｓを払出口２３を繰り出すことになり、払出口２３は、繰り出された順に商品券Ｓを下から上へと集積させる。よって、商品券払出装置１５においては、払出口２３が空の状態で払い出しを行うと、払い出しの開始時に投入口２１内で一番下にあった商品券Ｓが、払出口２３においても一番下になる。そのとき、商品券Ｓは、投入口２１において下方に向いている面が、払出口２３においても下方に向くようになっている。
【００３７】
商品券管理装置１６は、操作員による操作入力を受け付けるとともに操作員に向けて画面表示を行うタッチパネル式の操作表示部３１（入力手段，操作手段，表示手段，警告手段）と、操作員に向けてアラーム等の音声出力を行う音声出力部３２（警告手段）と、用紙に印字を行うプリンタ３３と、これらを制御するとともに商品券払出装置１５を制御する管理装置制御部３４（管理手段）と、データを記憶する記憶部３５（管理手段）と、を有している。
【００３８】
図２に示すように、商品券Ｓはその券表面Ｓ１上に、版数Ｌ、券番号Ｎおよび額面Ｖが表示されている。ここで、版数Ｌとは、商品券Ｓの製造時のロット番号を示す組番号であり、券番号Ｎが同じでも異なる版数Ｌであれば違う商品券Ｓであるため問題なしとなる。逆に券番号Ｎが同じで版数Ｌも同じ商品券Ｓが複数あれば、いずれかが偽造されたものとなるため問題ありとなる。すなわち、各商品券Ｓは、版数Ｌおよび券番号Ｎの組み合わせによって、他の商品券Ｓと識別される。図２に示す商品券Ｓの具体例では、版数Ｌが「１２３４５６７」であり、券番号Ｎが「１００００００１」であり、額面Ｖが「五百円」であることが、同一の券表面Ｓ１上に表示されている。
【００３９】
商品券Ｓは、図３に示すように、所定の束構成枚数で束ねられた券束Ｓ（ａ）の状態で取り扱われる場合と、図２に示すように、一枚ずつバラバラのバラ券Ｓ（ｂ）の状態で取り扱われる場合とがある。
【００４０】
商品券Ｓは、同じ額面Ｖであり同じ版数Ｌであって券番号Ｎが連番のバラ券Ｓ（ｂ）が所定の束構成枚数（例えば２００枚）だけ、いずれも券表面Ｓ１を前にし、券番号Ｎが小さいものが前となるように番号順に重ねられ、束ねられた束状態とされて専門の納入業者から納入される運用となっている。
【００４１】
図３に示すように、このように束構成枚数のバラ券Ｓ（ｂ）が束状態とされた券束Ｓ（ａ）は、容易にばらけないように、一束ずつ例えば透明の樹脂パックＰでシュリンクパックされた状態で納入される。券束Ｓ（ａ）には、束構成枚数のバラ券Ｓ（ｂ）とともに、商品券Ｓの額面Ｖと、版数Ｌと、最小の券番号Ｎａと、最大の券番号Ｎｂとが印字された表示シートＨが、額面Ｖ、版数Ｌおよび券番号Ｎａ，Ｎｂが目視可能な状態で同封されている。図３に示す券束Ｓ（ａ）の具体例では、額面Ｖが「五百円」であり、版数Ｌが「１２３４５６７」であり、最小の券番号Ｎａが「１００００００１」であり、最大の券番号Ｎｂが「１００００２００」であることが、表示シートＨに表示されている。
【００４２】
商品券Ｓは、このように券束Ｓ（ａ）の状態で、後述する入庫処理を経て、店舗内の管理室に設置された大元の大金庫１２の商品券保管領域１７内に入庫される。よって、大金庫１２の商品券保管領域１７内には、商品券Ｓがいずれも券束Ｓ（ａ）の状態で収納される運用となっている。ここで、商品券保管領域１７内の券束Ｓ（ａ）は、大金庫１２を開ければ直接取り出すことができるようになっている。同一の券束Ｓ（ａ）を構成する束構成枚数のバラ券Ｓ（ｂ）は、すべて版数Ｌが同じとなっている。
【００４３】
取引用保管庫１３には、商品券Ｓの券束Ｓ（ａ）と、商品券Ｓのバラ状態のバラ券Ｓ（ｂ）とが混在する可能性がある。取引用保管庫１３に格納された券束Ｓ（ａ）およびバラ券Ｓ（ｂ）は、取引用保管庫１３に格納された状態のまま大金庫１２の保管庫保管領域１８に収納される。このため、取引用保管庫１３に格納された券束Ｓ（ａ）およびバラ券Ｓ（ｂ）は、大金庫１２を開けても直接取り出すことはできないようになっている。
【００４４】
なお、取り扱われる商品券Ｓの券種については、任意に設定可能であるが、ここでは、千円の額面の商品券Ｓ（いわゆる千円券）と、五百円の額面の商品券Ｓ（いわゆる五百円券）の２種類のみがある場合を例にとり説明する。また、券束Ｓ（ａ）とされる商品券Ｓの束構成枚数は、任意に設定可能であるが、ここでは額面によらず２００枚に設定されている場合を例にとり説明する。
【００４５】
まず、商品券Ｓの取り扱いの運用面における概要を説明する。
【００４６】
店舗では、当日の営業開始前に、大元の大金庫１２内から当日の営業において必要とする分の商品券Ｓが取引用保管庫１３の中に適宜移されて商品券売り場に運ばれる運用となっている。そして、商品券売り場では、お客から商品券Ｓの購入依頼があると、購入依頼があった商品券Ｓの額面および数量に応じて、商品券Ｓを販売する。
【００４７】
例えば所定の額面の２００枚の商品券Ｓの購入依頼であった場合には、販売員は、この額面の２００枚の商品券Ｓが束状態とされた券束Ｓ（ａ）をほどいて、この２００枚の商品券Ｓを所定の商品券販売ケースに移し替えて包装しお客へ販売する運用となっている。また、例えば所定の額面の１０枚の商品券Ｓの購入依頼があった場合には、この額面のバラ券Ｓ（ｂ）がなければ、この額面の２００枚の商品券Ｓが束状態とされた券束Ｓ（ａ）をほどいて、バラ券Ｓ（ｂ）として、その中から商品券Ｓを１０枚だけ取り出して所定の商品券販売ケースに移し替えて包装しお客へ販売する運用となっている。さらに、例えばその後のお客から、この額面の例えば５枚の商品券Ｓの購入依頼があった場合には、バラ券Ｓ（ｂ）の残り１９０枚の中から５枚だけを払い出して、所定の商品券販売ケースに移し替えて包装しお客へ販売する運用となっている。
【００４８】
当日の営業が終了すると、商品券売り場で残った商品券Ｓを取引用保管庫１３の中にすべて格納した上で大金庫１２の保管庫保管領域１８中に取引用保管庫１３ごと戻して格納する運用となっている。つまり、当日の営業で必要とする商品券Ｓが取引用保管庫１３の中に格納された状態で大金庫１２から運び出され、当日の営業で残った商品券Ｓが取引用保管庫１３の中に残置されて大金庫１２の中に戻されて保管がなされるようになっている。また、大金庫１２の中では、取引用保管庫１３内の商品券Ｓと、それ以外の商品券保管領域１７にある商品券Ｓとが区別されて在庫管理される運用となっており、このような運用が毎営業日ごとに繰り返される。
【００４９】
毎営業日に移送される取引用保管庫１３の中には、図３に示すようにシュリンクパックされた束状態の券束Ｓ（ａ）と、束状態からバラされてバラ状態で残置された束構成枚数未満の端数枚数のバラ券Ｓ（ｂ）とが混在する可能性があり得るが、その場合であっても、商品券管理システム１１は、券束Ｓ（ａ）の状態の商品券Ｓとバラ券Ｓ（ｂ）の状態の商品券Ｓとを区別して在庫管理するようになっている。
【００５０】
商品券売り場に配設される商品券管理装置１６は、操作員による操作によって、操作表示部３１に表示された在庫管理メニュー画面から、商品券Ｓの取り扱い操作としての「入庫」、「補充」、「商品券払い出し」、「集計」「洗い替え」等の各メニュー操作が可能となっている。
【００５１】
［入庫処理］
店舗側が、商品券Ｓを専門業者からシュリンクパックされた券束Ｓ（ａ）の状態で購入して、大金庫１２内に入庫する際には、店舗側の操作員が、入庫処理操作として、商品券管理装置１６の操作表示部３１の在庫管理メニュー画面から「入庫」のメニューを選択する。すると、管理装置制御部３４は、操作表示部３１を、図４に示すように、入庫画面４１にして入庫処理を行う。
【００５２】
この入庫画面４１は、商品券管理システム１１において取り扱われる額面千円の商品券Ｓ用の選択タブ４２と、商品券管理システム１１において取り扱われる額面五百円の商品券Ｓ用の選択タブ４３と、を含んでいる。
【００５３】
図４は、額面五百円の商品券Ｓ用の選択タブ４３が押圧操作されて選択された状態の入庫画面４１を示しており、この入庫画面４１は、商品券Ｓの版数の入力値を表示する「版数」入力値表示欄４５と、券束Ｓ（ａ）の状態の連番からなる商品券Ｓの中の最も小さい券番号の入力値を表示する「最初の券番」入力値表示欄４６と、枚数の入力値を表示する「枚数」入力値表示欄４７と、これら「版数」入力値表示欄４５、「最初の券番」入力値表示欄４６および「枚数」入力値表示欄４７への入力操作が行われる入力操作部５１と、「戻る」ボタン５２と、「入庫取消」ボタン５３と、「登録」ボタン５４とを含んでいる。
【００５４】
入力操作部５１は、数字を入力する際に操作されるテンキー部６１と、テンキー部６１により入力された数字を表示する数字表示欄６２と、テンキー部６１により入力された数字を消去する際に操作される「ＣＥ」ボタン６３と、版数入力時に押圧操作される「版数」ボタン６５と、券番号の入力時に押圧操作される「券番」ボタン６６と、枚数の入力時に押圧操作される「枚数」ボタン６７とを含んでいる。
【００５５】
ここで、入庫画面４１は、入力操作部５１への入力前の初期状態では、「版数」入力値表示欄４５および「最初の券番」入力値表示欄４６が空欄となっており、五百円の商品券Ｓの枚数の「枚数」入力値表示欄４７には、予め設定されたデフォルト値として２００枚が表示されるようになっている。これは、額面五百円の商品券Ｓは、同じ版数であって券番号が連番となっている２００枚が１パックの束券Ｓ（ａ）とされ、１パック単位で納入される運用となっているためである。なお、額面五百円の商品券Ｓの束券Ｓ（ａ）が複数パック納入される場合、同じ版数であって券番号が連番となっている商品券Ｓが、連番２００枚ずつとなるように複数パックに分けられて納入される運用にもなっている。このように、納入される券束Ｓ（ａ）が１パック以外のパック数の場合、操作員は、券番号が連番の商品券Ｓで構成される券束Ｓ（ａ）に応じた商品券Ｓの枚数をデフォルト値にかえて入力することになる。
【００５６】
なお、入庫画面４１は、額面千円の商品券Ｓ用の選択タブ４２が押圧操作されて選択された状態でも、同様に、「版数」入力値表示欄と、「最初の券番」入力値表示欄と、「枚数」入力値表示欄と、入力操作が行われる入力操作部と、「戻る」ボタンと、「入庫取消」ボタンと、「登録」ボタンとを含んでいる。
【００５７】
ここで、千円の商品券Ｓの「枚数」入力値表示欄には、予め設定されたデフォルト値として２０００枚が表示されるようになっている。これは、額面千円の商品券Ｓは、同じ版数であって券番号が連番となっている２０００枚が、連番２００枚ずつとなるように１０パックの束券Ｓ（ａ）に分けられ、１０パック単位で納入される運用となっているためである。納入される券束Ｓ（ａ）が１０パック以外の例えば２０パック等のパック数の場合、操作員は、券番号が連番の商品券Ｓで構成される券束Ｓ（ａ）に応じた商品券Ｓの枚数をデフォルト値にかえて入力することになる。また、納入業社からの納入される以外に、閉店した他店舗から引き取った券束Ｓ（ａ）を入庫する場合があり、この場合も、操作員は、券番号が連番の商品券Ｓで構成される券束Ｓ（ａ）に応じた商品券Ｓの枚数をデフォルト値にかえて入力することになる。
【００５８】
具体的に、例えば、額面五百円の２００枚の商品券Ｓで構成される券束Ｓ（ａ）を合計５束入庫する場合であって、これら５束それぞれの表示シートＨに表示されている版数Ｌがすべて同じであり、これら５束それぞれの表示シートＨに表示されている最小の券番号Ｎａおよび最大の券番号Ｎｂから、５束を構成する商品券Ｓの券番号がすべて連番である場合に、操作員は、まず、図４に示すように、入庫画面４１において、額面千円の商品券Ｓ用の選択タブ４２と、額面五百円の商品券Ｓ用の選択タブ４３とのうちから、額面五百円の商品券Ｓ用の選択タブ４３を押圧操作して選択する。
【００５９】
そして、操作員は、入力操作部５１を用いて５束共通の版数を入力する。すなわち、操作員は、入力操作部５１のテンキー部６１を操作して版数を入力し、入力された版数の数字表示欄６２での表示を確認しつつ、「版数」ボタン６５を押圧操作する。すると、管理装置制御部３４は、版数を表示する「版数」入力値表示欄４５に、この入力された版数を表示させる。図４では、版数として「１２３４５６７」が入力され、これを「版数」入力値表示欄４５に表示している状態を示している。
【００６０】
また、操作員は、入力操作部５１を用いて、５束それぞれの表示シートＨに表示されている各最小の券番号Ｎａのうちの最も小さい番号を入力する。すなわち、操作員は、入力操作部５１のテンキー部６１を操作して最も小さい番号を入力し、入力された券番号の数字表示欄６２での表示を確認しつつ、「券番」ボタン６６を押圧操作する。すると、管理装置制御部３４は、図４に示すように、最も小さい券番号を表示する「最初の券番」入力値表示欄４６に、この入力された券番号を表示させる。図４では、最も小さい券番号として「１００００００１」が入力され、これを「最初の券番」入力値表示欄４６に表示している場合を示している。このように、操作表示部３１には、商品券Ｓに表示された券番号が手入力される。
【００６１】
さらに、操作員は、入力操作部５１を用いて、５束分の商品券Ｓの合計枚数を入力する。すなわち、操作員は、入力操作部５１のテンキー部６１を操作して枚数を入力し、入力された枚数の数字表示欄６２での表示を確認しつつ、「枚数」ボタン６７を押圧操作する。すると、管理装置制御部３４は、入庫画面４１の枚数を表示する「枚数」入力値表示欄４７に、この入力された枚数を表示させる。図４では、デフォルト値の「２００」にかえて、５束分の枚数である「１０００」が入力され、これを「枚数」入力値表示欄４７に表示している場合を示している。
【００６２】
次に、これらの数値を確定して登録する場合、操作員は、「登録」ボタン５４を押圧操作することになる。この操作によって、管理装置制御部３４が、「登録」ボタン５４が押圧操作された入庫日時と、入庫画面４１に入力された上記の情報とを、後述する補充処理に関して取引用保管庫１３へ未補充である旨および後述する払い出し処理に関して未払い出しである旨を含む管理データとして商品券管理装置１６の記憶部３５に記憶すると共に、プリンタ３３によって、この管理データを用紙に印字する。これにより、大金庫１２への商品券Ｓの入庫管理が可能となる。
【００６３】
すなわち、例えば、券種として額面五百円の商品券Ｓが選択され、版数として「１２３４５６７」が入力され、最も小さい券番号として「１００００００１」が入力され、枚数として「１０００」枚が入力されて、「登録」ボタン５４が押圧操作される。
【００６４】
すると、管理装置制御部３４は、取引用保管庫１３に未補充かつ未払い出しの管理データである旨と、「登録」ボタン５４が押圧操作された日時である入庫日時としての例えば「２０１８／１２／１４  １１：００」と、版数がいずれも「１２３４５６７」であって、券番号「１００００００１」〜「１００００２００」までの連番の２００枚の券束Ｓ（ａ）の状態の五百円の商品券Ｓと、版数がいずれも「１２３４５６７」であって、券番号「１００００２０１」〜「１００００４００」までの連番の２００枚の券束Ｓ（ａ）の状態の五百円の商品券Ｓと、版数がいずれも「１２３４５６７」であって、券番号「１００００４０１」〜「１００００６００」までの連番の２００枚の券束Ｓ（ａ）の状態の五百円の商品券Ｓと、版数がいずれも「１２３４５６７」であって、券番号「１００００６０１」〜「１００００８００」までの連番の２００枚の券束Ｓ（ａ）の状態の五百円の商品券Ｓと、版数がいずれも「１２３４５６７」であって、券番号「１００００８０１」〜「１０００１０００」までの連番の２００枚の券束Ｓ（ａ）の状態の五百円の商品券Ｓとが、大金庫１２に入庫されたことを記憶部３５に記憶する。言い換えれば、この管理データは、券番号「１００００００１」〜「１０００１０００」までの連番の１０００枚の五百円の商品券Ｓが大金庫１２に入庫されたことを示すデータである。
【００６５】
なお、情報が入力された状態の入庫画面４１において、上記のように「登録」ボタン５４が押圧操作されると、管理装置制御部３４は、操作表示部３１を、選択タブ４２，４３のうち直前に選択されていた選択タブが選択され、「版数」入力値表示欄４５および「最初の券番」入力値表示欄４６が空欄とされ、「枚数」入力値表示欄４７がデフォルト値を表示させた初期状態の入庫画面４１に戻す。
【００６６】
また、情報が入力された状態の入庫画面４１において、上記のように「登録」ボタン５４ではなく、「戻る」ボタン５２が押圧操作されると、管理装置制御部３４は、上記のように入力された情報を記憶部３５に記憶することなく消去し、また、プリンタ３３による印字も行わずに、操作表示部３１の表示を在庫管理メニュー画面に戻す。
【００６７】
ここで、直前の入庫処理で登録した管理データを取り消したい場合に、操作員は、初期状態の入庫画面４１上で、「入庫取消」ボタン５３を押圧操作する。すると、管理装置制御部３４は、直前の入庫処理で登録した、取引用保管庫１３に未補充かつ未払い出しの管理データを記憶部３５から読み出し、図５に示すように、この管理データに基づく入庫取消画面７１を表示させる。入庫取消画面７１は、額面千円の商品券Ｓ用の選択タブ７２と、額面五百円の商品券Ｓ用の選択タブ７３とを有している。
【００６８】
図５は、五百円の商品券Ｓ用の選択タブ７３が押圧操作されて選択された状態の入庫取消画面７１を示しており、この状態の入庫取消画面７１は、直前の額面五百円の商品券Ｓの入庫処理で記憶部３５に記憶した、取引用保管庫１３に未補充かつ未払い出しの管理データに含まれる入庫日時を表示する「入庫日時」表示欄７５と、この管理データに含まれる版数を表示する「版数」表示欄７６と、この管理データに含まれる最も小さい券番号を表示する「最初の券番」表示欄７７と、この管理データに含まれる枚数を表示する「枚数」表示欄７８と、「戻る」ボタン８１と、「取消」ボタン８２とを含んでいる。
【００６９】
具体的に、図５に示す例では、券種が額面五百円の商品券Ｓであることを示す選択タブ７３が押圧操作されて選択された状態であり、入庫取消画面７１には、上記のように額面五百円の商品券Ｓの直前の入庫処理で記憶部３５に記憶された管理データに基づいて、「入庫日時」表示欄７５に、直前に入庫処理が行われた券束Ｓ（ａ）の入庫日時である「２０１８／１２／１４  １１：００」を表示し、「版数」表示欄７６に、直前に入庫処理が行われた券束Ｓ（ａ）の版数である「１２３４５６７」を表示し、「最初の券番」表示欄７７に、直前に入庫処理が行われた券束Ｓ（ａ）の最小の券番号「１００００００１」を表示し、「枚数」表示欄７８に、直前に入庫処理が行われた券束Ｓ（ａ）の枚数である「１０００」を表示している。
【００７０】
なお、図示は略すが、券種が額面千円の商品券Ｓであることを示す選択タブ７２が押圧操作されて選択された状態では、額面千円の商品券Ｓの直前の入庫処理で記憶部３５に記憶された管理データに基づいて、同様に、入庫取消画面７１には、「入庫日時」表示欄に入庫日時を、「版数」表示欄に商品券Ｓの版数を、「最初の券番」表示欄に商品券Ｓの最初の券番号を、「枚数」表示欄に枚数を、それぞれ表示する。
【００７１】
入庫取消画面７１で、操作員が「取消」ボタン８２を押圧操作すると、管理装置制御部３４は、入庫取消処理を実行して、入庫取消画面７１に表示している、直前の入庫処理にて記憶部３５に記憶された管理データを記憶部３５から削除すると共に、削除された管理データをプリンタ３３によって用紙に印字する。そして、操作表示部３１の表示を初期状態の入庫画面４１に戻す。このとき、操作員は、用紙に印字された削除された管理データの券束Ｓ（ａ）が大金庫１２内にあることを確認する。
【００７２】
なお、同じ入庫取消画面７１で、「取消」ボタン８２ではなく、「戻る」ボタン８１が押圧操作されると、管理装置制御部３４は、直前の入庫処理にて記憶部３５に記憶された管理データを記憶部３５から削除することなく、また、プリンタ３３による印字も行わずに、操作表示部３１の表示を初期状態の入庫画面４１に戻す。
【００７３】
なお、大金庫１２に入庫される複数束の券束Ｓ（ａ）のうちのいずれかの券束Ｓ（ａ）の版数が、他とは異なる版数である場合、この券束Ｓ（ａ）については、別に入庫処理を行う。また、入庫される複数束の券束Ｓ（ａ）のうちのいずれかの束が、他とは連番にならない場合、この券束Ｓ（ａ）についても、別に入庫処理を行う。
【００７４】
［補充処理］
営業日に、大金庫１２から商品券Ｓを持ち出して商品券売り場に移送する際には、操作員は、必要とする分の商品券Ｓを取引用保管庫１３の中に補充して移送することになる。その際に、操作員は、補充処理操作として、商品券管理装置１６の操作表示部３１の在庫管理メニュー画面から「補充」のメニューを選択する。すると、管理装置制御部３４は、操作表示部３１を、図６に示すような補充画面９１にして補充処理を行う。この補充画面９１は、額面千円の商品券Ｓ用の選択タブ９２と、額面五百円の商品券Ｓ用の選択タブ９３と、を含んでいる。
【００７５】
図６は、額面五百円の商品券Ｓ用の選択タブ９３が押圧操作されて選択された状態の補充画面９１を示しており、この補充画面９１は、額面五百円の商品券Ｓ用の、記憶部３５に記憶されている補充処理に関する情報を含む管理データに基づいて、大金庫１２に入庫された額面五百円の商品券Ｓの券束Ｓ（ａ）の情報を、補充処理に関する情報を含んでリストにして表示するリスト表示部９５を有している。
【００７６】
リスト表示部９５は、券束Ｓ（ａ）を構成する商品券Ｓの版数を表示する版数表示欄１０１と、この券束Ｓ（ａ）を構成する連番の券番号を表示する券番号表示欄１０２と、この券束Ｓ（ａ）の補充処理に関する状態を表示する状態表示欄１０３とを、同列の列表示１０５として表示している。リスト表示部９５では、このような列表示１０５を、券束Ｓ（ａ）毎に、版数の小さい順、同じ版数の場合は券番号の小さい順に並べて表示している。補充画面９１は、「戻る」ボタン１１２と、「補充取消」ボタン１１３と、「登録」ボタン１１４とを含んでいる。
【００７７】
ここで、券束Ｓ（ａ）が、大金庫１２から取引用保管庫１３に補充済みである場合は、この券束Ｓ（ａ）の列表示１０５の状態表示欄１０３には、補充処理に関する情報として、補充済みである旨と、補充日時とを表示させることになり、大金庫１２から取引用保管庫１３に補充済みでない券束Ｓ（ａ）の列表示１０５の状態表示欄１０３は、空欄としている。
【００７８】
管理装置制御部３４は、券束Ｓ（ａ）が補充済みである場合の列表示１０５を、このような状態表示欄１０３の表示を含めて、補充済みでない基本表示パターンの列表示１０５とは異なる補充済み表示パターン（図６のハッチング部分参照）として、視覚的に明確に区別する。例えば、列表示１０５の基本表示パターンは、状態表示欄１０３が空欄とされ、背景が白色でテキストが黒色とされる。また、列表示１０５の補充済み表示パターンは、状態表示欄１０３に、補充済みである旨と補充日時とを表示させ、例えば背景が灰色でテキストが黒色とされる。
【００７９】
また、管理装置制御部３４は、基本表示パターンの列表示１０５が、取引用保管庫１３への補充の選択のために押圧操作されると、その列表示１０５の状態表示欄１０３に、補充処理に関する情報として、選択されたことを示す「取引用保管庫へ補充」のテキストを表示させることになる。
【００８０】
なお、管理データに基づいて基本表示パターンで表示された列表示１０５のみが、補充処理に関する情報として、未補充かつ未払い出しである旨の情報を、状態表示欄１０３を空欄とすることで表示しており、このように基本表示パターンで表示された列表示１０５のみが、取引用保管庫１３への補充対象としての選択が可能となっている。言い換えれば、補充済み表示パターンで表示された列表示１０５のみが、補充処理に関する情報として、補充済みである旨の情報を含む管理データを表示させており、補充済み表示パターンで表示された列表示１０５は、取引用保管庫１３への補充対象としての選択が不可となっている。
【００８１】
管理装置制御部３４は、基本表示パターンから押圧操作された選択状態の列表示１０５を、このような状態表示欄１０３の表示を含めて、基本表示パターンおよび補充済み表示パターンとは異なる選択済み表示パターン（図６の網掛け部分参照）として、視覚的に明確に区別する。列表示１０５の選択済み表示パターンは、例えば、状態表示欄１０３に「取引用保管庫へ補充」のテキストを表示させ、背景が緑色でテキストが黒色とされる。言い換えれば、選択済み表示パターンは、他の基本表示パターンおよび補充済み表示パターンよりも目立つカーソル表示となっている。
【００８２】
ここで、このように選択状態にある列表示１０５が再度押圧操作されると、管理装置制御部３４は、この列表示１０５の選択を解除し、その列表示１０５を、基本表示パターンに戻す。すなわち、補充済みでない券束Ｓ（ａ）の補充済みへの選択は、変更が可能となっている。
【００８３】
なお、同一の補充処理で、券束Ｓ（ａ）を複数束、取引用保管庫１３に補充する場合、操作員は、選択する複数の列表示１０５を押圧操作する。すると、管理装置制御部３４は、押圧操作された複数の列表示１０５を、すべて選択状態として、これらの列表示１０５を選択済み表示パターンにする。
【００８４】
ここで、補充画面９１は、額面千円の商品券Ｓ用の選択タブ９２が押圧操作されて選択された状態でも、同様に、額面千円の商品券Ｓ用の管理データに基づいて、大金庫１２に入庫された額面千円の商品券Ｓの券束Ｓ（ａ）の情報を、補充処理の情報とともにリストにして表示するリスト表示部と、「戻る」ボタンと、「補充取消」ボタンと、「登録」ボタンとを含んでいる。
【００８５】
なお、同一の補充処理で、額面五百円の２００枚の商品券Ｓで構成される券束Ｓ（ａ）と、額面千円の２００枚の商品券Ｓで構成される券束Ｓ（ａ）とを、取引用保管庫１３に補充する場合、額面五百円の商品券Ｓ用の選択タブ９３を押圧操作して、所望の列表示１０５を押圧操作して選択済み表示パターンにするとともに、額面千円の商品券Ｓ用の選択タブ９２を押圧操作して、同様に所望の列表示を押圧操作して選択済み表示パターンにすることになる。
【００８６】
具体的に、例えば、額面五百円の２００枚の商品券Ｓで構成される券束Ｓ（ａ）を１束、大金庫１２から取引用保管庫１３に補充する場合、操作員は、まず、図６に示すように、補充画面９１において、額面千円の商品券Ｓ用の選択タブ９２と、額面五百円の商品券Ｓ用の選択タブ９３とのうちから、額面五百円の商品券Ｓ用の選択タブ９３を押圧操作して選択する。
【００８７】
そして、操作員は、補充する額面五百円の商品券Ｓの券束Ｓ（ａ）の列表示１０５を押圧操作して選択する。すると、管理装置制御部３４は、押圧操作された列表示１０５の状態表示欄１０３に「取引用保管庫へ補充」のテキストを表示させて、この列表示１０５を選択済み表示パターンで表示する。図６では、版数が「１２３４５６７」であり、券番号が「１００００４０１」〜「１００００６００」の商品券Ｓで構成される券束Ｓ（ａ）を押圧操作により選択した状態を示している。
【００８８】
なお、額面五百円の２００枚の商品券Ｓで構成される券束Ｓ（ａ）を複数束、大金庫１２から取引用保管庫１３に補充する場合、操作員は、所望の複数の列表示１０５を押圧操作して選択済み表示パターンにする。また、額面五百円の２００枚の商品券Ｓで構成される券束Ｓ（ａ）に合わせて、額面千円の２００枚の商品券Ｓで構成される券束Ｓ（ａ）を、取引用保管庫１３に補充する場合、その後、額面千円の商品券Ｓ用の選択タブ９２を押圧操作により選択して、同様に所望の列表示を押圧操作して選択済み表示パターンにする。
【００８９】
次に、操作員は、「登録」ボタン１１４を押圧操作することになる。この操作によって、管理装置制御部３４が、補充処理にて選択されて選択済み表示パターンとされた券束Ｓ（ａ）について記憶部３５に記憶されている版数および券番号を含む管理データに対し、「登録」ボタン１１４が押圧操作された補充日時を加えて記憶すると共に、払い出し処理に関する情報を未払い出しの旨のまま、補充処理に関する情報を、未補充から補充済みである旨に変更して記憶する。加えて、管理装置制御部３４は、プリンタ３３によって、これら補充日時および補充済みである旨を含む管理データを用紙に印字する。これにより、大金庫１２において取引用保管庫１３へ出庫された商品券Ｓと、取引用保管庫１３において大金庫１２から補充された商品券Ｓとの管理が可能となる。
【００９０】
すなわち、例えば、券種として額面五百円の商品券Ｓが選択され、版数が「１２３４５６７」の券番号が「１００００４０１」〜「１００００６００」の券束Ｓ（ａ）の列表示１０５が押圧操作されて、「登録」ボタン１１４が押圧操作されると、管理装置制御部３４は、版数が「１２３４５６７」の券番号が「１００００４０１」〜「１００００６００」の券束Ｓ（ａ）の管理データに、「登録」ボタン１１４が押圧操作された補充日時である例えば「２０１８／１２／１５  １１：００」を加えて記憶するとともに、この管理データの払い出し処理に関する情報を未払い出しのまま、補充処理に関する情報を、未補充から補充済みである旨に変更して記憶する。
【００９１】
補充画面９１において、このように「登録」ボタン１１４が押圧操作されると、管理装置制御部３４は、今回補充が行われた券束Ｓ（ａ）の列表示１０５を補充済み表示パターンとした補充画面９１を操作表示部３１に表示させる。
【００９２】
なお、同じ補充画面９１で、上記のように「登録」ボタン１１４ではなく、「戻る」ボタン１１２が押圧操作されると、管理装置制御部３４は、管理データを変更することなく、プリンタ３３による印字も行わずに、操作表示部３１の表示を在庫管理メニュー画面に戻す。
【００９３】
また、直前の補充処理で、補充処理に関する情報が補充済みである旨の情報に変更された管理データを、補充処理に関する情報が未補充である旨の管理データに戻したい場合に、操作員は、同じ補充画面９１上で、「補充取消」ボタン１１３を押圧操作する。すると、管理装置制御部３４は、管理データを記憶部３５から読み出し、これに基づいて、図７に示すように、操作表示部３１に補充取消画面１２１を表示させる。補充取消画面１２１は、額面千円の商品券Ｓ用の選択タブ１２２と、額面五百円の商品券Ｓ用の選択タブ１２３とを有している。
【００９４】
図７は、額面五百円の商品券Ｓ用の選択タブ１２３が押圧操作されて選択された状態を示しており、記憶部３５に記憶されている額面五百円の商品券Ｓ用の管理データに基づいて、大金庫１２に入庫された額面五百円の商品券Ｓの券束Ｓ（ａ）の情報を、補充処理の情報を含んでリストにして表示するリスト表示部１２５を有している。
【００９５】
リスト表示部１２５は、券束Ｓ（ａ）を構成する商品券Ｓの版数を表示する版数表示欄１３１と、この券束Ｓ（ａ）を構成する連番の券番号を表示する券番号表示欄１３２と、この券束Ｓ（ａ）の補充処理の状態を表示する状態表示欄１３３とを、同列の列表示１３５として表示している。リスト表示部１２５では、このような列表示１３５を、券束Ｓ（ａ）毎に、版数の小さい順、同じ版数の場合は券番号の小さい順に並べて表示している。補充取消画面１２１は、「戻る」ボタン１４１と、「取消」ボタン１４２とを含んでいる。
【００９６】
ここで、リスト表示部１２５の状態表示欄１３３には、補充処理に関する情報として、券束Ｓ（ａ）が取引用保管庫１３に補充済みである場合は、補充済みである旨と補充日時とを表示させることになり、補充済みでない列表示１０５は空欄としている。よって、直前に補充処理が行われた券束Ｓ（ａ）の列表示１３５の状態表示欄１３３も、補充済みである旨と補充日時とを表示させている。
【００９７】
管理装置制御部３４は、直前に補充処理が行われた以外であって補充済みである場合の列表示１３５を、このような状態表示欄１３３の表示を含めて、補充済みでない基本表示パターンの列表示１３５とは異なる補充済み表示パターン（図７のハッチング部分参照）として、視覚的に明確に区別する。例えば、列表示１３５の基本表示パターンは、未補充であることを示すように状態表示欄１３３が空欄とされ、背景が白色でテキストが黒色とされる。また、列表示１３５の直前に補充処理が行われた以外の補充済み表示パターンは、状態表示欄１３３に補充済みである旨と補充日時とを表示させ、例えば背景が灰色でテキストが黒色とされる。
【００９８】
また、管理装置制御部３４は、補充取消画面１２１において、直前に補充処理が行われた額面五百円の商品券Ｓの券束Ｓ（ａ）の列表示１３５を、基本表示パターンおよび補充済み表示パターンとは異なる、取消対象表示パターン（図７の網掛け部分参照）として、視覚的に明確に区別する。列表示１３５の取消対象表示パターンは、例えば、背景が緑色でテキストが黒色とされる。言い換えれば、取消対象表示パターンは、他の基本表示パターンおよび補充済み表示パターンよりも目立つカーソル表示となっている。
【００９９】
ここで、補充取消画面１２１は、額面千円の商品券Ｓ用の選択タブ１２２が押圧操作されて選択された状態でも、同様に、額面千円の商品券Ｓ用の、補充処理に関する情報を含む管理データに基づいて、大金庫１２に入庫された額面千円の商品券Ｓの券束Ｓ（ａ）の情報を、補充処理の情報とともにリストにして表示するリスト表示部と、「戻る」ボタンと、「取消」ボタンとを含んでいる。そして、管理装置制御部３４は、直前に補充処理が行われた額面千円の商品券Ｓの券束Ｓ（ａ）の列表示１３５を取消対象表示パターンとする。
【０１００】
具体的に、図７に示す例では、券種が額面五百円の商品券Ｓであることを示す選択タブ１２３が押圧操作されて選択された状態であり、上記のように額面五百円の商品券Ｓの直前に補充処理が行われた管理データに基づいて、補充取消画面１２１の版数表示欄１３１に、直前に補充処理が行われた券束Ｓ（ａ）の版数である「１２３４５６７」を表示し、券番号表示欄１３２に、直前に補充処理が行われた券束Ｓ（ａ）の券番号である「１００００４０１」〜「１００００６００」を表示し、状態表示欄１３３に、直前に補充処理が行われた券束Ｓ（ａ）の補充日時である「２０１８／１２／１５  １１：００」を表示している列表示１３５が、他の列表示１３５とは異なる取消対象表示パターンで表示されている。
【０１０１】
言い換えれば、図７に示す例では、額面五百円の券束Ｓ（ａ）の版数が「１２３４５６７」であって券番号が「１００００００１」〜「１００００２００」の２００枚の商品券Ｓと、額面五百円の券束Ｓ（ａ）の版数が「１２３４５６７」であって券番号が「１００００２０１」〜「１００００４００」の２００枚の商品券Ｓと、額面五百円の券束Ｓ（ａ）の版数が「１２３４５６７」であって券番号が「１００００４０１」〜「１００００６００」の２００枚の商品券Ｓとが、補充処理済みであって、そのうちの、版数が「１２３４５６７」であって券番号が連番で「１００００４０１」〜「１００００６００」の２００枚の商品券Ｓが、直前に補充処理が行われ、今回取り消し操作を行っているカーソル表示状態である画面を示している。
【０１０２】
補充取消画面１２１で、操作員が「取消」ボタン１４２を押圧操作すると、管理装置制御部３４は、補充取消処理を実行して、補充取消画面１２１に取消対象表示パターンで表示している、直前の補充処理にて補充処理に関する情報が補充済みである旨の情報に書き換えられた管理データの、補充処理に関する情報を未補充である旨の情報に戻すとともに、この未補充である旨の情報を含む管理データをプリンタ３３によって用紙に印字する。そして、補充取消画面１２１の表示において、取消対象表示パターンで表示していた直前に補充処理が行われた券束Ｓ（ａ）の列表示１３５を、基本表示パターンに戻す。このとき、操作者は、用紙に印字された管理データに基づいて、未補充に戻された、版数および券番号の券束Ｓ（ａ）が取引用保管庫１３にあることを確認し、これを大金庫１２に戻す。
【０１０３】
具体的に、図７に示す例で、「取消」ボタン１４２が押圧操作されると、管理装置制御部３４は、版数が「１２３４５６７」であり、券番号が「１００００４０１」〜「１００００６００」であって、補充日時が「２０１８／１２／１５  １１：００」の券束Ｓ（ａ）の管理データについて、補充処理に関する情報を、補充日時を含まない未補充である旨の情報に戻すとともに、この未補充である旨の情報を含む管理データをプリンタ３３によって用紙に印字する。
【０１０４】
ここで、補充取消画面１２１において、額面千円の商品券Ｓ用の選択タブ１２２が押圧操作されて選択された状態で、同様に、操作員が「取消」ボタン１４２を押圧操作すると、直前に補充処理が行われた額面千円の商品券Ｓの券束Ｓ（ａ）の管理データについて、払い出し処理に関する情報を未払い出しのまま、補充処理に関する情報を未補充である旨の情報に戻すとともに、この未補充である旨の情報を含む管理データをプリンタ３３によって用紙に印字する。なお、選択タブ１２２，１２３のうち、選択された一方の取消対象表示パターンで表示されている管理データのみが、「取消」ボタン１４２の押圧操作によって補充取消処理される。
【０１０５】
ここで、同じ補充取消画面１２１で、「取消」ボタン１４２ではなく、「戻る」ボタン１４１が押圧操作されると、管理装置制御部３４は、直前に補充処理が行われた管理データをそのままで、また、プリンタ３３による印字も行わずに、直前に補充処理が行われた券束Ｓ（ａ）の列表示１３５を、補充済み表示パターンに戻した補充画面９１を操作表示部３１に表示させる。
【０１０６】
なお、以上においては、商品券売り場に設置された商品券払出装置１５および商品券管理装置１６で入庫処理、入庫取消処理、補充処理および補充取消処理を行うものとしたが、商品券払出装置１５および商品券管理装置１６を持ち運び可能として大金庫１２の近傍に運んで入庫処理、入庫取消処理、補充処理および補充取消処理を行うようにしても良い。あるいは、商品券売り場に設置された商品券払出装置１５および商品券管理装置１６とは別に、大金庫１２の近傍に、商品券売り場に設置された商品券管理装置１６と連係可能な商品券管理装置を設けて、この商品券管理装置で入庫処理、入庫取消処理、補充処理および補充取消処理を行っても良い。この場合、商品券売り場に設置された商品券管理装置１６と大金庫１２の近傍に設置された商品券管理装置とは、管理データを共有することになる。
【０１０７】
［払い出し処理］
商品券売り場に移送された取引用保管庫１３の中の商品券Ｓは、そのすべてが商品券払出装置１５にセットされて機械払いされる形態でも、または、そのすべてが操作員の手によって手払いされる形態でも、または、その一部が商品券払出装置１５にセットされて機械払いされる形態で、且つその残りの分が操作員の手によって手払いされる形態であっても良い。
【０１０８】
ここでは、額面千円の商品券Ｓは商品券払出装置１５にセットされて機械払いされ、額面五百円の商品券Ｓは取引用保管庫１３の中にそのまま保管されて操作員の手によって手払いされる形態にて説明する。
【０１０９】
前日に商品券払出装置１５にセットされた額面千円の商品券Ｓは、前日の営業後に残った分が商品券払出装置１５から取り出され、取引用保管庫１３に戻される運用となっている。その結果、当日の営業前の取引用保管庫１３には、券束Ｓ（ａ）の状態にはない端数（つまり２００枚未満）の枚数であるバラ券Ｓ（ｂ）が収納されている。このようなバラ券Ｓ（ｂ）が当日の営業前に商品券払出装置１５にセットされることになり、その際に、バラ券Ｓ（ｂ）は券番号の順に揃えられて券番号の最も小さい番号の商品券Ｓを下側にして商品券払出装置１５の投入口２１に番号順にセットされる運用となっている。
【０１１０】
そして、商品券管理装置１６の操作表示部３１に所定の商品券払い出し操作が行われると、管理装置制御部３４は、所定の商品券払い出し操作に応じた所定枚数の払い出し指示信号を商品券払出装置１５に対して出力する。すると、商品券払出装置１５の払出装置制御部２４が、計数繰出部２２を作動させて、投入口２１にセットされた商品券Ｓを下から順番に１枚ずつ払出口２３に繰り出し、払い出し指示信号に含まれる所定の払い出し枚数の商品券Ｓの払出口２３への繰り出し動作が正常終了すると、計数繰出部２２を停止させる。これにより、バラ券Ｓ（ｂ）が、券番号の最も小さい番号の商品券Ｓから順に集積されて、払い出し枚数だけ払出口２３に払い出されることになる。それとともに、払出装置制御部２４は、払い出しが正常に完了した旨を含む信号を商品券管理装置１６に出力する。
【０１１１】
すると、管理装置制御部３４が、操作表示部３１に商品券Ｓの抜き取り案内を表示させる。すると、操作員が、この案内にしたがって払出口２３の商品券Ｓを取り出す。そして、取り出した商品券Ｓの券番号と、商品券管理装置１６の操作表示部３１に案内される商品券Ｓの券番号との照合一致を操作員が目視で行うと共に、商品券Ｓに汚れや折れ、破れ等の不具合がなければ、当該商品券Ｓをお客へ渡して販売する運用となっている。
【０１１２】
営業後、商品券払出装置１５にセットされていたものを含む商品券売り場にある商品券Ｓがすべて取引用保管庫１３に格納されて、そのまま、大金庫１２の保管庫保管領域１８に収納されることになる。取引用保管庫１３は、大金庫１２から取り出されると、その状態のまま、あるいは適宜補充処理を行った後、商品券売り場に運ばれる。このとき、取引用保管庫１３内にある商品券Ｓのうち払い出し可能な版数および券番号は、記憶部３５に、補充処理に関する情報が補充済みであり払い出し処理に関する情報が未払い出しである管理データとして記憶されている。
【０１１３】
操作員が、払い出し処理操作として、商品券管理装置１６の操作表示部３１の在庫管理メニュー画面から「商品券払い出し」のメニューを選択する。すると、管理装置制御部３４は、操作表示部３１を、図８に示すように、商品券払出画面１５１にして商品券払い出し処理を行う。
【０１１４】
この商品券払出画面１５１は、額面千円の商品券Ｓ用の選択タブ１５２と、額面五百円の商品券Ｓ用の選択タブ１５３と、を含んでいる。また、商品券払出画面１５１は、機械払いであることを表示する「機械払い」表示欄１５５と、手払いであることを示す「手払い」表示欄１５６とを含んでいる。
【０１１５】
図８は、額面千円の商品券Ｓ用の選択タブ１５２が押圧操作されて選択されて、「機械払い」表示欄１５５が、「手払い」表示欄１５６よりも明確に表示された状態の商品券払出画面１５１を示している。この商品券払出画面１５１は、商品券Ｓの払い出す口数の入力値を表示する「口数」入力値表示欄１６１と、１口当たりの払い出し枚数の入力値を表示する「枚数」入力値表示欄１６２と、１口当たりの払い出し金額を表示する「金額」表示欄１６３と、全口数の払い出しの合計金額を表示する「合計金額」表示欄１６４とを含んでいる。
【０１１６】
また、このときの商品券払出画面１５１は、補充処理に関する情報が補充済みであり払い出し処理に関する情報が未払い出しである管理データの中で払い出す商品券Ｓの中の最も小さい券番号を表示する「最初の券番」表示欄１６７と、同管理データの中で払い出す商品券Ｓの中の最も大きい券番号を表示する「最後の券番」表示欄１６８と、「口数」入力値表示欄１６１および「枚数」入力値表示欄１６２への入力操作が行われる入力操作部１７１と、「終了」ボタン１７２と、「排除」ボタン１７３と、「取消」ボタン１７４と、「補充」ボタン１７５と、「払出し」ボタン１７６とを含んでいる。
【０１１７】
入力操作部１７１は、数字を入力する際に操作されるテンキー部１８１と、テンキー部１８１により入力された数字を表示する数字表示欄１８２と、テンキー部１８１により入力された数字を消去する際に操作される「ＣＥ」ボタン１８３と、口数入力時に押圧操作される「口数」ボタン１８５と、１口当たりの払い出し枚数の入力時に押圧操作される「枚数」ボタン１８６とを含んでいる。ここで、額面千円の商品券Ｓ用の選択タブ１５２が押圧操作されることにより機械払いが選択された場合のみ、口数についての、「口数」入力値表示欄１６１および「口数」ボタン１８５が表示されるようになっている。
【０１１８】
具体的に、例えば、商品券払出画面１５１にて、額面千円の商品券Ｓを１０枚ずつ３口、つまり３０枚を払い出す場合、操作員は、図８に示すように、額面千円の商品券Ｓ用の選択タブ１５２を押圧操作して選択する。すると、管理装置制御部３４は、「機械払い」表示欄１５５を「手払い」表示欄１５６よりも明確化した表示状態として、機械払いであることを明示する。
【０１１９】
そして、操作員は、入力操作部１７１を用いて口数を入力する。すなわち、操作員は、入力操作部１７１のテンキー部１８１を操作して口数を入力し、入力された口数の数字表示欄１８２での表示を確認しつつ、「口数」ボタン１８５を押圧操作する。すると、管理装置制御部３４は、口数を表示する「口数」入力値表示欄１６１に、この入力された口数を表示させる。図８では、口数として「３」が入力され、これを「口数」入力値表示欄１６１に表示している状態を示している。
【０１２０】
また、操作員は、入力操作部１７１を用いて１口あたりの払い出し枚数を入力する。すなわち、操作員は、入力操作部１７１のテンキー部１８１を操作して１口あたりの払い出し枚数を入力し、入力された１口あたりの払い出し枚数の数字表示欄１８２での表示を確認しつつ、「枚数」ボタン１８６を押圧操作する。すると、管理装置制御部３４は、図８に示すように、１口あたりの払い出し枚数を表示する「枚数」入力値表示欄１６２に、この入力された１口あたりの払い出し枚数を表示させる。図８では、１口あたりの払い出し枚数として「１０」が入力され、これを「枚数」入力値表示欄１６２に表示している場合を示している。
【０１２１】
このようにして、口数と、１口あたりの払い出し枚数とが入力されると、管理装置制御部３４は、入力値から１口あたりの金額を自動で算出して「金額」表示欄１６３に表示させるとともに、入力値から全口数での合計金額を自動で算出して「合計金額」表示欄１６４に表示させる。図８では、１口あたりの金額が１０００円×１０枚の１００００円であって、これを「金額」表示欄１６３に表示し、全口数での合計金額が１０００円×３０枚の３００００円であって、これを「合計金額」表示欄１６４に表示している場合を示している。
【０１２２】
それとともに、管理装置制御部３４は、補充処理に関して取引用保管庫１３へ補充済みである旨および払い出し処理に関して未払い出しである旨を含む管理データとして商品券管理装置１６の記憶部３５に記憶されている管理データを読み出し、その中で、額面千円の商品券Ｓの中の券束Ｓ（ａ）の状態にはない端数（つまり２００枚未満）の枚数であるバラ券Ｓ（ｂ）の券番号のグループの中から一番小さい券番号を検索する。図８を例にすると、検索して特定した券番号は「３００００５０１」であり、管理装置制御部３４は、当該券番号を「最初の券番」表示欄１６７に表示させる。
【０１２３】
また、これとともに管理装置制御部３４は、同管理データの中で、額面千円の商品券Ｓの中の券束Ｓ（ａ）の状態にはないバラ券Ｓ（ｂ）の券番号のグループの中から一番小さい券番号を１番目として、順にカウントして、払い出し枚数である３口１０枚の合計枚数３０枚の最後となる３０番目に小さい券番号を検索する。図８を例にすると、検索して特定した券番号は、３００００５０１＋３０−１＝「３００００５３０」であり、管理装置制御部３４は、当該券番号を「最後の券番」表示欄１６８に表示させる。
【０１２４】
以上により、操作表示部３１によって商品券Ｓの端数枚数での払い出し操作が行われると、管理装置制御部３４および記憶部３５で管理されているバラ券Ｓ（ｂ）の最も小さい券番号と、この最も小さい券番号に当該端数枚数を加算して１を減算した券番号との両方を操作表示部３１に表示する。
【０１２５】
なお、ここでは、「３００００５０１」〜「３００００５３０」の券番号に欠番が無いケースを例示しており、この場合には、検索した最初の券番「３００００５０１」に３０を加算し、１を減算、つまりは２９を加算することによって、最後の券番「３００００５３０」が求められる。
【０１２６】
ここで、仮に、「３００００５０１」〜「３００００５３０」の券番号の中に、欠番として、例えば券番号「３００００５０２」が１つある場合、その分だけ券番がずれて、「最後の券番」が「３００００５３１」となって「最後の券番」表示欄１６８に表示されることになる。また、欠番として、例えば券番号「３００００５１０」と「３００００５１１」との２つがあった場合には、これらの分だけ券番がずれて、「最後の券番」が「３００００５３２」となって「最後の券番」表示欄１６８に表示されることになる。
【０１２７】
そして、この状態で、「払出し」ボタン１７６が押圧操作されると、管理装置制御部３４は、それまで表示していた商品券払出画面１５１の上に、ポップアップ画面として確認画面を表示し、この確認画面にある「確認」ボタンが押圧操作されると、商品券Ｓの払い出し合計枚数である３０枚を含む払い出し指示信号を商品券払出装置１５に対して出力する。
【０１２８】
すると、商品券払出装置１５の払出装置制御部２４が、計数繰出部２２を作動させて、投入口２１にセットされた商品券Ｓを下から順番に１枚ずつ払出口２３に繰り出し、払い出し指示信号に含まれる所定の払い出し枚数の商品券Ｓの繰り出し動作が正常終了すると、計数繰出部２２を停止させる。これにより、額面千円の商品券Ｓのバラ券Ｓ（ｂ）が、券番号の最も小さい番号の商品券Ｓから番号順に、払い出し枚数である３０枚だけ払出口２３に払い出されることになる。それとともに、払出装置制御部２４は、払い出しが正常に完了した旨の信号を商品券管理装置１６に出力する。
【０１２９】
すると、管理装置制御部３４が、操作表示部３１に、商品券Ｓの抜き取り案内を表示させる。すると、操作員が、この案内にしたがって商品券払出装置１５の払出口２３の商品券Ｓを取り出す。このとき、操作表示部３１には、「口数」入力値表示欄１６１、「枚数」入力値表示欄１６２、「金額」表示欄１６３、「合計金額」表示欄１６４、「最初の券番」表示欄１６７および「最後の券番」表示欄１６８にそれぞれ上記数値を表示させた状態の商品券払出画面１５１が表示されている。
【０１３０】
よって、操作員は、商品券払出装置１５の払出口２３から取り出した商品券Ｓの最小の券番号と、操作表示部３１の「最初の券番」表示欄１６７に表示された券番号との照合一致を目視で行うと共に、払出口２３から取り出した商品券Ｓの最大の券番号と、操作表示部３１の「最後の券番」表示欄１６８に表示された券番号との照合一致を目視で行い、さらに、払出口２３から取り出した商品券Ｓに汚れや折れ、破れ等の不具合がなければ、当該商品券Ｓをお客へ渡して販売する。
【０１３１】
また、上記のように、払出装置制御部２４から、払い出しが正常に完了した旨の信号が出力されると、管理装置制御部３４は、補充処理に関して取引用保管庫１３へ補充済みである旨および払い出し処理に関して未払い出しである旨を含む管理データのうち、今回の払い出し処理で払い出した商品券Ｓの管理データについて、払い出し処理に関する情報を払い出し済みである旨の情報に書き換え、今回の払い出し処理に対応する取引番号および今回の払い出し処理が完了した日時情報とを加えて、記憶部３５に記憶する。これにより、取引用保管庫１３からの商品券Ｓの払い出し管理が可能となる。
【０１３２】
このように、払い出し処理を行う際に、操作員が操作表示部３１に必要事項を入力すると、管理装置制御部３４が、払い出す最初の券番号と最後の券番号とを操作表示部３１に自動的に表示させるので、操作員は商品券Ｓをお客へ手渡す前のチェックとして、当該商品券Ｓに付された券番号の目視によって、操作表示部３１に表示された券番との照合を行うことができるようになる。
【０１３３】
その後、「終了」ボタン１７２が押圧操作されると、管理装置制御部３４は、プリンタ３３によって、今回の払い出し処理で払い出し済みである旨の情報に書き換えた管理データ、すなわち今回の払い出し処理で払い出された商品券Ｓに関する情報を用紙に印字する。
【０１３４】
図９は、額面五百円の商品券Ｓ用の選択タブ１５３が押圧操作されて選択されて、「手払い」表示欄１５６が、「機械払い」表示欄１５５よりも明確に表示された状態の商品券払出画面１９１を示している。この商品券払出画面１９１は、商品券Ｓの払い出し枚数の入力値を表示する「枚数」入力値表示欄１９２と、払い出し金額を表示する「金額」表示欄１９３と、払い出しの合計金額を表示する「合計金額」表示欄１９４と、を含んでいる。
【０１３５】
また、商品券払出画面１９１は、払い出す商品券Ｓの最小の券番号の入力値を表示する「最初の券番」入力値表示欄１９５と、払い出す商品券Ｓの最大の券番号を表示する「最後の券番」表示欄１９６と、「枚数」入力値表示欄１９２および「最初の券番」入力値表示欄１９５への入力操作が行われる入力操作部２０１と、「終了」ボタン２０２と、「排除」ボタン２０３と、「取消」ボタン２０４と、「補充」ボタン２０５と、「払出し」ボタン２０６とを含んでいる。
【０１３６】
入力操作部２０１は、数字を入力する際に操作されるテンキー部２１１と、テンキー部２１１により入力された数字を表示する数字表示欄２１２と、テンキー部２１１により入力された数字を消去する際に操作される「ＣＥ」ボタン２１３と、払い出す商品券Ｓの最小の券番号の入力時に押圧操作される「券番」ボタン２１５と、払い出し枚数の入力時に押圧操作される「枚数」ボタン２１６とを含んでいる。
【０１３７】
具体的に、例えば、商品券払出画面１９１にて、額面五百円の商品券Ｓを１０枚払い出す場合、操作員は、図９に示すように、額面五百円の商品券Ｓ用の選択タブ１５３を押圧操作して選択する。すると、管理装置制御部３４は、「手払い」表示欄１５６を「機械払い」表示欄１５５よりも明確化した状態として、手払いであることを明示する。
【０１３８】
そして、操作員は、入力操作部２０１を用いて払い出し枚数を入力する。すなわち、操作員は、入力操作部２０１のテンキー部２１１を操作して払い出し枚数を入力し、入力された払い出し枚数の数字表示欄２１２での表示を確認しつつ、「枚数」ボタン２１６を押圧操作する。すると、管理装置制御部３４は、図９に示すように、払い出し枚数の「枚数」入力値表示欄１９２に、この入力された払い出し枚数を表示させる。図９では、払い出し枚数として「１０」が入力され、これを「枚数」入力値表示欄１９２に表示している場合を示している。
【０１３９】
このようにして、払い出し枚数が入力されると、管理装置制御部３４は、入力値から金額を自動で算出して、「金額」表示欄１９３および「合計金額」表示欄１９４に表示させる。図９では、金額が５００円×１０枚の５０００円であって、これを「金額」表示欄１９３および「合計金額」表示欄１９４に表示させる場合を示している。
【０１４０】
それとともに、管理装置制御部３４は、補充処理に関して取引用保管庫１３へ補充済みである旨および払い出し処理に関して未払い出しである旨を含む管理データとして商品券管理装置１６の記憶部３５に記憶されている管理データを読み出し、その中で、額面五百円の商品券Ｓの中の券束Ｓ（ａ）の状態にはない端数（つまり２００枚未満）の枚数であるバラ券Ｓ（ｂ）の券番号のグループの中から一番小さい券番号を検索する。図９を例にすると、検索して特定した券番号は「１００００４０１」であり、管理装置制御部３４は、当該券番号を「最初の券番」入力値表示欄１９５に表示させる。
【０１４１】
ここで、「最初の券番」入力値表示欄１９５の券番号は、変更入力することも可能である。例えば、操作員が、取引用保管庫１３に番号券の順に集積されて収納されている、額面五百円のバラ券Ｓ（ｂ）の中から、先頭にある券番号が一番小さいものから１０枚を取り出して、先頭にある券番号が一番小さいものの券番号を、「最初の券番」入力値表示欄１９５に表示されているものと照合し、異なる場合は、入力操作部２０１を用いて入力する。
【０１４２】
すなわち、操作員は、入力操作部２０１のテンキー部２１１を操作して先頭にある券番号が一番小さいものの券番号を入力し、入力された券番号の数字表示欄２１２での表示を確認しつつ、「券番」ボタン２１５を押圧操作する。すると、管理装置制御部３４は、図９に示すように、券番号が一番小さいものの券番号を表示する「最初の券番」入力値表示欄１９５に、この入力された券番号を表示させる。
【０１４３】
また、管理装置制御部３４は、補充処理に関して取引用保管庫１３へ補充済みである旨および払い出し処理に関して未払い出しである旨を含む管理データとして商品券管理装置１６の記憶部３５に記憶されている管理データを読み出し、その中で、額面五百円の商品券Ｓの中のバラ券Ｓ（ｂ）の券番号のグループの中から、「最初の券番」入力値表示欄１９５に表示されている券番号を１番目として、順にカウントして払い出し枚数である１０枚目となる１０番目に小さい券番号を検索する。図９を例にすると、検索して特定した券番号は、１００００４０１＋１０−１＝「１００００４１０」であり、管理装置制御部３４は、当該券番号を「最後の券番」表示欄１９６に表示させる。
【０１４４】
なお、ここでも、「１００００４０１」〜「１００００４１０」の券番号に欠番が無いケースを例示しており、この場合には、検索した最初の券番「１００００４０１」に１０を加算し、１を減算、つまりは最初の券番に９を加算することによって、最後の券番「１００００４１０」が求められる。
【０１４５】
ここで、仮に、「１００００４０１」〜「１００００４１０」の券番号の中に、欠番として、例えば券番号「１００００４０５」が１つある場合、その分だけ券番がずれて「最後の券番」が「１００００４１１」となって「最後の券番」表示欄１９６に表示されることになる。また、欠番として、例えば券番号「１００００４０５」と「１００００４０６」との２つがあった場合には、これらの分だけ券番がずれて「最後の券番」が「１００００４１２」となって「最後の券番」表示欄１９６に表示されることになる。
【０１４６】
そして、この状態で、「払出し」ボタン２０６が押圧操作されると、管理装置制御部３４は、それまで表示していた商品券払出画面１９１の上に、ポップアップ画面として確認する旨の表示を含む図示略の確認画面を表示し、この確認画面の「確認」ボタンが押圧操作されると、操作表示部３１に商品券Ｓの払い出し案内を表示させる。
【０１４７】
このとき、操作表示部３１には、「枚数」入力値表示欄１９２、「金額」表示欄１９３、「合計金額」表示欄１９４、「最初の券番」入力値表示欄１９５および「最後の券番」表示欄１９６にそれぞれ上記数値を表示させた状態の商品券払出画面１９１が表示されており、よって、操作員は、払い出しのため、取引用保管庫１３から上記のように取り出した額面五百円のバラ券Ｓ（ｂ）の最小の券番号と、操作表示部３１の「最初の券番」入力値表示欄１９５に表示された券番号との照合一致を目視で行うと共に、取引用保管庫１３から上記のように取り出した額面五百円のバラ券Ｓ（ｂ）の最大の券番号と、操作表示部３１の「最後の券番」表示欄１９６に表示された券番号との照合一致を目視で行い、さらに、これら商品券Ｓに汚れや折れ、破れ等の不具合がなければ、当該商品券Ｓをお客へ渡して販売する。
【０１４８】
また、上記のように、「払出し」ボタン２０６が押圧操作された後のポップアップ画面である確認画面において「確認」ボタンが押圧操作されると、管理装置制御部３４は、補充処理に関して取引用保管庫１３へ補充済みである旨および払い出し処理に関して未払い出しである旨を含む管理データのうち、払い出した商品券Ｓの管理データについて、払い出し処理に関して払い出し済みである旨の情報に書き換え、今回の払い出し処理に対応する取引番号および今回の払い出し処理が完了した日時情報とを加えて、記憶部３５に記憶する。
【０１４９】
このように、払い出し処理を行う際に、操作員が操作表示部３１に必要事項を入力すると、管理装置制御部３４が、払い出す最初の券番号から最後の券番号を求めて操作表示部３１に表示させるので、操作員は商品券Ｓをお客へ手渡す前のチェックとして、当該商品券Ｓに付された券番号の目視によって、操作表示部３１に表示された券番との照合を行うことができるようになる。
【０１５０】
上記のように、「払出し」ボタン２０６が押圧操作された後のポップアップ画面である確認画面において「確認」ボタンが押圧操作された後、「終了」ボタン２０２が押圧操作されると、管理装置制御部３４は、プリンタ３３によって、今回の払い出し処理で払い出し済みである旨に書き換えた管理データ、すなわち今回の払い出し処理で払い出された商品券Ｓに関する情報を用紙に印字する。
【０１５１】
なお、以上においては、券束Ｓ（ａ）の状態に満たない端数（つまり２００枚未満）の枚数の商品券Ｓを、額面千円については機械払い、額面五百円については手払いする場合について説明したが、券束Ｓ（ａ）の状態（２００枚）の商品券Ｓをそのまま払い出すことも勿論可能である。
【０１５２】
一例として、額面五百円の商品券Ｓを券束Ｓ（ａ）の状態のまま２００枚手払いする操作の場合には、操作員は、図９に示すように、額面千円の商品券Ｓ用の選択タブ１５２および額面五百円の商品券Ｓ用の選択タブ１５３から、額面五百円の商品券Ｓ用の選択タブ１５３を選択操作し、入力操作部２０１を用いて、「枚数」入力値表示欄１９２に「２００」を入力する。すると、管理装置制御部３４が演算を行って、「金額」表示欄１９３および「合計金額」表示欄１９４に１０００００円を表示させる。
【０１５３】
それとともに、操作員は、「最初の券番」入力値表示欄１９に券束Ｓ（ａ）の状態の商品券Ｓの先頭である一番小さい券番号（例えば、「２００００００１」）を入力する。すると、管理装置制御部３４は、補充処理に関して取引用保管庫１３へ補充済みである旨および払い出し処理に関して未払い出しである旨を含む額面五百円の券束Ｓ（ａ）の管理データに、最小の券番号が「２００００００１」のものがあれば、「最後の券番」表示欄１９６に、自動的に求めた当該券束Ｓ（ａ）の一番大きい券番号（例えば、「２００００２００」）を表示することになる。
【０１５４】
以上により、操作表示部３１によって商品券Ｓの所定の纏まった枚数での払い出し操作が行われ、管理装置制御部３４および記憶部３５で管理される、未払い出しの束状態の商品券Ｓの最も小さい券番号が最初の券番号として入力されると、管理装置制御部３４は、記憶部３５とで管理している当該束状態の商品券Ｓの最も大きい券番号を最後の券番号として操作表示部３１に表示する。
【０１５５】
他方、券束Ｓ（ａ）の状態の商品券Ｓの先頭である一番小さい券番号ではない間違った券番号（例えば、「２００００００２」）が入力された場合や、券束Ｓ（ａ）の状態に満たないバラ券Ｓ（ｂ）の券番号のグループの中の券番号が入力されると、管理装置制御部３４は、補充処理に関して取引用保管庫１３へ補充済みである旨および払い出し処理に関して未払い出しである旨を含む額面五百円の券束Ｓ（ａ）の管理データと照合することで、誤操作による不一致を認識して、操作表示部３１に「間違った券番号が入力されました。券束Ｓ（ａ）の状態の商品券Ｓの先頭の一番小さい券番号を入力して下さい。」というアラーム表示を表示させることになる。
【０１５６】
また、上記した「入庫処理」および「補充処理」と同様に、「払い出し処理」の場合においても、直前に操作を行った払い出し処理を取り消すことが可能になっている。その場合には、例えば、図８に示す、額面千円の商品券用の選択タブ１５２が選択された商品券払出画面１５１上で、「取消」ボタン１７４が押圧操作されると、管理装置制御部３４は、図１０に示すように、操作表示部３１の表示を、直前の払い出し処理の情報を表示する取消確認画面２２１に切り替える。
【０１５７】
この取消確認画面２２１は、直前の払い出し処理の取引番号を表示する「取引番号」表示欄２２２と、直前の払い出し処理の払い出しの口数を表示する「口数」表示欄２２３と、直前の払い出し処理の１口あたりの払い出し枚数を表示する「枚数」表示欄２２４と、直前の払い出し処理の１口あたりの払い出し金額を表示する「金額」表示欄２２５と、直前の払い出し処理の払い出しの全口数の合計金額を表示する「合計金額」表示欄２２６と、直前の払い出し処理で払い出した商品券Ｓの最小の券番号を表示する「最初の券番」表示欄２２７と、直前の払い出し処理で払い出した商品券Ｓの最大の券番号を表示する「最後の券番」表示欄２２８とを有している。
【０１５８】
また、取消確認画面２２１は、「取消」ボタン２３１と「戻る」ボタン２３２とを有している。取消確認画面２２１の「取消」ボタン２３１が押圧操作されると、管理装置制御部３４は、払出取消処理を実行して、直前の払い出し処理を行った際に記憶部３５に記憶された管理データの払い出し処理に関する情報を、払い出し済みから未払い出しに変更し、取引番号および払い出し処理の日時情報を削除するとともに、プリンタ３３によって、これらの情報を用紙に印字する。払出取消処理を実行しない場合、操作員は、取消確認画面２２１の「戻る」ボタン２３２を押圧操作する。すると、管理装置制御部３４は、管理データを変更することなく、操作表示部３１の表示を、商品券払出画面１５１に戻す。
【０１５９】
［排除処理］
払い出し処理の際、特に機械払いの場合には、商品券払出装置１５が商品券Ｓを１枚ずつ分離して投入口２１から取り込んで払出口２３に繰り出すことになるが、その動作の際に、例えば取り込み異常や繰り出し異常が発生して、商品券Ｓに汚れが付着したり、折れや破れ等の不具合が発生することも希に存在する。
【０１６０】
そのような場合には、操作員が、商品券払出画面１５１において「排除」ボタン１７３を押圧操作し、あるいは商品券払出画面１９１において「排除」ボタン２０３を押圧操作する。すると、管理装置制御部３４は、図１１に示すように、排除画面２４１を操作表示部３１に表示させる。排除画面２４１は、額面千円の商品券Ｓ用の選択タブ２４２と、額面五百円の商品券Ｓ用の選択タブ２４３と、を含んでいる。
【０１６１】
図１１は、額面五百円の商品券Ｓ用の選択タブ２４３が押圧操作されて選択された状態の商品券払出画面１５１を示しており、この商品券払出画面１５１は、額面五百円の商品券Ｓ用の、補充処理に関する情報および払い出し処理に関する情報を含む管理データに基づいて、額面五百円の商品券Ｓの情報を、払い出し処理に関する情報を含んでリストにして表示するリスト表示部２４５を有している。
【０１６２】
リスト表示部２４５は、商品券Ｓの版数を表示する版数表示欄２５１と、この商品券Ｓの券番号を表示する券番号表示欄２５２と、この商品券Ｓの払い出し処理に関する情報を表示する状態表示欄２５３とを、同列の列表示２５５として表示している。リスト表示部２４５では、このような列表示２５５を、商品券Ｓ毎に、版数の小さい順、同じ版数の場合は券番号の小さい順に並べて表示している。排除画面２４１は、「戻る」ボタン２６１と、「排除」ボタン２６２とを含んでいる。
【０１６３】
ここで、リスト表示部２４５の状態表示欄２５３には、払い出し処理に関する情報として、商品券Ｓが払い出し済みである場合は、払い出し済みである旨と払い出し日時とを表示させることになり、払い出し済みでない商品券Ｓの列表示２５５の状態表示欄２５３は空欄としている。
【０１６４】
管理装置制御部３４は、商品券Ｓが払い出し済みである場合の列表示２５５を、このような状態表示欄２５３の表示を含めて、商品券Ｓが払い出し済みでない基本表示パターンの列表示２５５とは異なる払い出し済み表示パターン（図１１のハッチング部分参照）として、視覚的に明確に区別する。例えば、列表示２５５の基本表示パターンは、状態表示欄２５３が空欄とされ、背景が白色でテキストが黒色とされる。また、列表示２５５の払い出し済み表示パターンは、状態表示欄２５３に商品券Ｓが払い出し済みである旨と払い出し日時を表示させ、例えば背景が灰色でテキストが黒色とされる。
【０１６５】
また、管理装置制御部３４は、基本表示パターンの列表示２５５が、取引用保管庫１３への排除処理対象の選択のために押圧操作されると、その列表示２５５の状態表示欄２５３に、排除処理に関する情報として、排除することを示す「排除する」のテキストを表示させることになる。
【０１６６】
管理装置制御部３４は、押圧操作された選択状態の列表示２５５を、このような状態表示欄２５３の表示を含めて、基本表示パターンおよび払い出し済み表示パターンとは異なる選択済み表示パターン（図１１の網掛け部分参照）として、視覚的に明確に区別する。列表示２５５の選択済み表示パターンは、例えば、状態表示欄２５３に「排除する」のテキストを赤色で表示させ、背景が緑色で他のテキストが黒色とされる。言い換えれば、選択済み表示パターンは、他の基本表示パターンおよび払い出し済み表示パターンよりも目立つカーソル表示となっている。
【０１６７】
ここで、このように選択状態にある列表示２５５が再度押圧操作されると、管理装置制御部３４は、この列表示２５５の選択を解除し、その列表示２５５を、未払い出しのものは基本表示パターンに、払い出し済みのものは払い出し済み表示パターンに戻す。すなわち、排除処理する商品券Ｓの選択は、変更が可能となっている。
【０１６８】
なお、同一の排除処理で、商品券Ｓを複数枚排除する場合、操作員は、選択する複数の列表示２５５を押圧操作する。すると、管理装置制御部３４は、押圧操作された複数の列表示２５５を、すべて選択状態として、これらの列表示２５５を選択済み表示パターンにする。
【０１６９】
ここで、排除画面２４１は、額面千円の商品券Ｓ用の選択タブ２４２が押圧操作されて選択された状態でも、同様に、額面千円の商品券Ｓ用の、払い出し処理に関する情報を含む管理データに基づいて、額面千円の商品券Ｓの情報を、払い出し処理の情報とともにリストにして表示するリスト表示部と、「戻る」ボタンと、「排除」ボタンとを含んでいる。
【０１７０】
具体的に、例えば、額面五百円の所定の商品券Ｓを排除処理する場合、操作員は、まず、図１１に示すように、排除画面２４１において、額面五百円の商品券Ｓ用の選択タブ２４３を押圧操作して選択し、削除する額面五百円の商品券Ｓの列表示２５５を押圧操作して選択する。すると、管理装置制御部３４は、押圧操作された列表示２５５の状態表示欄２５３に「排除する」のテキストを表示させて、この列表示２５５を選択済み表示パターンで表示する。図１１では、版数が「１２３４５６７」であり、券番号が「１００００３５５」の商品券Ｓを排除処理対象として押圧操作により選択した状態を示している。
【０１７１】
次に、操作員は、「排除」ボタン２６２を押圧操作することになる。この操作によって、管理装置制御部３４が、記憶部３５に記憶されている、この版数および券番号の商品券Ｓの管理データに、「排除」ボタン２６２が押圧操作された排除日時と、排除処理済みである旨の情報とを加えて、記憶する。加えて、管理装置制御部３４は、プリンタ３３によって、これら排除日時および排除処理済みである旨を含む管理データを用紙に印字する。
【０１７２】
ここで、管理装置制御部３４は、排除処理済みである旨の情報が加えられた管理データについては、上記した払い出し処理においては、払い出し済みである旨の情報が加えられた管理データとして取り扱う。言い換えれば、排除処理済みである旨の情報が加えられた管理データについては、払い出し対象から除外する。
【０１７３】
排除画面２４１において、このように「排除」ボタン２６２が押圧操作されると、管理装置制御部３４は、商品券払出画面１５１，１９１のうちの直前に表示されていたものを表示させる。すると、操作員は、排除した商品券Ｓを補う枚数の商品券Ｓについての払い出し処理を行う。
【０１７４】
なお、同じ排除画面２４１で、「排除」ボタン２６２ではなく、「戻る」ボタン２６１が押圧操作されると、管理装置制御部３４は、管理データを変更することなく、プリンタ３３による印字も行わずに、操作表示部３１を商品券払出画面１５１，１９１のうちの直前に表示されていたものに戻す。
【０１７５】
すなわち、操作表示部３１は、入力された商品券Ｓの券番号を払い出し対象から排除する排除処理が可能である。
【０１７６】
以上に述べたように、管理装置制御部３４および記憶部３５が、入庫処理によって大金庫１２への商品券Ｓの入庫管理を行うとともに、補充処理によって大金庫１２の取引用保管庫１３へ出庫された商品券Ｓおよび取引用保管庫１３の大金庫１２から補充された商品券Ｓの管理を行い、さらに、払い出し処理によって取引用保管庫１３からの商品券Ｓの払い出し管理を行う。よって、管理装置制御部３４および記憶部３５が、操作表示部３１に手入力された券番号と関連付けて商品券管理システム１１における商品券Ｓの在庫を管理することになり、大金庫１２内の商品券Ｓおよび取引用保管庫１３内の商品券Ｓの在庫をそれぞれ管理することになる。その際に、管理装置制御部３４および記憶部３５は、所定の纏まった枚数（２００枚）の束状態の束券Ｓ（ａ）と、それ未満の端数枚数のバラ状態のバラ券Ｓ（ｂ）とで別々に在庫管理することになる。
【０１７７】
また、操作表示部３１は、入力される入庫処理、補充処理、払い出し処理等の取り扱い操作に応じて、管理装置制御部３４および記憶部３５で管理される券番号の情報を表示する。
【０１７８】
［集計処理］
１日の営業が終了すると、操作員は、売上金の確認および商品券売り場で残った商品券Ｓの在庫を確認する作業を行う。すなわち、操作員が、集計処理操作として、商品券管理装置１６の操作表示部３１の在庫管理メニュー画面から「集計」のメニューを選択する。すると、管理装置制御部３４は、記憶部３５に記憶されている管理データに基づいて、図１２に示すような当日分の販売された商品券Ｓの情報を示す「販売集計」と、図１３に示すような当日分の取引用保管庫１３に残る商品券Ｓの情報を示す「在庫集計」とをプリンタ３３によって用紙に印字する。
【０１７９】
図１２に示す「販売集計」は、上記したように、額面千円の商品券Ｓについては機械払いされ、額面五百円の商品券Ｓについては手払いされる場合であり、当日分の販売された額面千円の商品券Ｓの機械払いについての、合計枚数を示す合計枚数表示欄２７１、合計金額を示す合計金額表示欄２７２、払い出された商品券Ｓの版数を示す版数表示欄２７３および連番での券番号を示す券番号表示欄２７４を有している。図１２に示す例では、連番が途切れているため、版数を示す版数表示欄２７３および連番での券番号を示す券番号表示欄２７４が複数段に分かれている。
【０１８０】
具体的に、図１２に示す例では、合計枚数表示欄２７１が「２５枚」を表示し、合計金額表示欄２７２が「２５０００円」を表示し、１段目の版数表示欄２７３および券番号表示欄２７４が「１２３４５６７」および「０００００００００１」〜「００００００００１１」を表示し、２段目の版数表示欄２７３および券番号表示欄２７４が「１２３４５６７」および「００００００００１４」〜「００００００００２７」を表示している。
【０１８１】
また、図１２に示す「販売集計」は、当日分の販売された額面千円の商品券Ｓの手払いについての、合計枚数を示す合計枚数表示欄２８１および合計金額を示す合計金額表示欄２８２を有しており、当日分の販売された額面千円の商品券Ｓについての、全合計枚数を示す合計枚数表示欄２８５および全合計金額を示す合計金額表示欄２８６を有している。
【０１８２】
具体的に、図１２に示す例では、額面千円の商品券Ｓの手払いはないため、合計枚数表示欄２８１は「０枚」、合計金額表示欄２８２は「０円」であり、合計枚数表示欄２８５が「２５枚」を表示し、合計金額表示欄２８６が「２５０００円」を表示している。
【０１８３】
また、図１２に示す「販売集計」は、当日分の販売された額面五百円の商品券Ｓの機械払いについての、合計枚数を示す合計枚数表示欄２９１および合計金額を示す合計金額表示欄２９２と、当日分の販売された額面五百円の商品券Ｓの手払いについての、合計枚数を示す合計枚数表示欄２９３、合計金額を示す合計金額表示欄２９４、版数を示す版数表示欄２９５および連番での券番号を示す券番号表示欄２９６、を含んでいる。
【０１８４】
また、図１２に示す「販売集計」は、当日分の販売された額面五百円の商品券Ｓについての、全合計枚数を示す合計枚数表示欄２９８および全合計金額を示す合計金額表示欄２９９を有しており、当日分の販売された商品券Ｓの購入者の人数を示す人数表示欄３０１と、当日分の販売された商品券Ｓの総額を示す総額表示欄３０２とを有している。
【０１８５】
具体的に、図１２に示す例では、額面五百円の商品券Ｓの機械払いはないため、合計枚数表示欄２９１は「０枚」、合計金額表示欄２９２は「０円」であり、手払いについての、合計枚数表示欄２９３が「３枚」を表示し、合計金額表示欄２９４が「１５００円」を表示し、版数表示欄２９５および券番号表示欄２９６が「１２３４５６７」および「０００００００００１」〜「０００００００００３」を表示し、合計枚数表示欄２９８が「３枚」を表示し、合計金額表示欄２９９が「１５００円」を表示し、人数表示欄３０１が「１人」を表示し、総額表示欄３０２が「２６５００円」を表示している。
【０１８６】
図１３に示す「在庫集計」は、額面千円の券束Ｓ（ａ）の大金庫１２の商品券保管領域１７にある残り（取引用保管庫１３内の残りは除く）についての、合計枚数を示す合計枚数表示欄３１１、合計金額を示す合計金額表示欄３１２、版数を示す版数表示欄３１３および連番での券番号を示す券番号表示欄３１４を有している。図１３に示す例では、額面千円の券束Ｓ（ａ）が複数あるため、版数を示す版数表示欄３１３および連番での券番号を示す券番号表示欄３１４が複数段表示されている。
【０１８７】
具体的に、図１３に示す例では、合計枚数表示欄３１１が「８００枚」を表示し、合計金額表示欄３１２が「８０００００円」を表示し、１段目の版数表示欄３１３および券番号表示欄３１４が「１２３４５６７」および「０００００００２０１」〜「０００００００４００」を表示し、２段目の版数表示欄３１３および券番号表示欄３１４が「１２３４５６７」および「０００００００４０１」〜「０００００００６００」を表示し、３段目の版数表示欄３１３および券番号表示欄３１４が「１２３４５６７」および「０００００００６０１」〜「０００００００８００」を表示し、４段目の版数表示欄３１３および券番号表示欄３１４が「１２３４５６７」および「０００００００８０１」〜「００００００１０００」を表示している。
【０１８８】
また、図１３に示す「在庫集計」は、額面五百円の券束Ｓ（ａ）の大金庫１２の商品券保管領域１７にある残り（取引用保管庫１３内の残りは除く）についての、合計枚数を示す合計枚数表示欄３２１、合計金額を示す合計金額表示欄３２２、版数を示す版数表示欄３２３および連番での券番号を示す券番号表示欄３２４を有しており、大金庫１２にある残り（取引用保管庫１３内の残りは除く）についての商品券Ｓの総額を示す総額表示欄３３１を有している。
【０１８９】
具体的に、図１３に示す例では、合計枚数表示欄３２１が「２００枚」を表示し、合計金額表示欄３２２が「１０００００円」を表示し、版数表示欄３２３および券番号表示欄３２４が「１２３４５６７」および「０００００００２０１」〜「０００００００４００」を表示していて、総額表示欄３３１が「９０００００円」を表示している。
【０１９０】
また、図１３に示す「在庫集計」は、額面千円のバラ券Ｓ（ｂ）の取引用保管庫１３にある残り（排除処理したバラ券Ｓ（ｂ）は除く）についての、合計枚数を示す合計枚数表示欄３４１、合計金額を示す合計金額表示欄３４２、版数を示す版数表示欄３４３および連番での券番号を示す券番号表示欄３４４を有している。
【０１９１】
具体的に、図１３に示す例では、合計枚数表示欄３４１が「１７３枚」を表示し、合計金額表示欄３４２が「１７３０００円」を表示し、版数表示欄３４３および券番号表示欄３４４が「１２３４５６７」および「００００００００２８」〜「０００００００２００」を表示している。
【０１９２】
また、図１３に示す「在庫集計」は、額面五百円のバラ券Ｓ（ｂ）の取引用保管庫１３にある残り（排除処理したバラ券Ｓ（ｂ）は除く）についての、合計枚数を示す合計枚数表示欄３６１、合計金額を示す合計金額表示欄３６２、版数を示す版数表示欄３６３および連番での券番号を示す券番号表示欄３６４を有しており、取引用保管庫１３にある残り（排除処理したバラ券Ｓ（ｂ）は除く）についての、商品券Ｓの総額を示す総額表示欄３６７を有している。
【０１９３】
具体的に、図１３に示す例では、合計枚数表示欄３６１が「１９７枚」を表示し、合計金額表示欄３６２が「９８５００円」を表示し、版数表示欄３６３および券番号表示欄３６４が「１２３４５６７」および「０００００００００４」〜「０００００００２００」を表示し、総額表示欄３６７が「２７１５００円」を表示している。
【０１９４】
また、図１３に示す「在庫集計」は、額面千円の排除処理したバラ券Ｓ（ｂ）についての、合計枚数を示す合計枚数表示欄３７１、合計金額を示す合計金額表示欄３７２、版数を示す版数表示欄３７３および券番号を示す券番号表示欄３７４を有している。
【０１９５】
具体的に、図１３に示す例では、合計枚数表示欄３７１が「２枚」を表示し、合計金額表示欄３７２が「２０００円」を表示し、版数表示欄３７３および券番号表示欄３７４が「１２３４５６７」および「００００００００１２」〜「００００００００１３」を表示している。
【０１９６】
また、図１３に示す「在庫集計」は、額面五百円の排除処理したバラ券Ｓ（ｂ）についての、合計枚数を示す合計枚数表示欄３８１および合計金額を示す合計金額表示欄３８２を有している。図１３は、額面五百円の排除処理したバラ券Ｓ（ｂ）がない場合であり、合計枚数表示欄３８１が「０枚」、合計金額表示欄３８２が「０円」を表示しており、版数を示す版数表示欄および連番での券番号を示す券番号表示欄は印字されていないが、額面五百円の排除処理したバラ券Ｓ（ｂ）があれば、版数を示す版数表示欄および券番号を示す券番号表示欄が印字される。
【０１９７】
また、図１３に示す「在庫集計」は、排除処理したバラ券Ｓ（ｂ）についての、商品券Ｓの総額を示す総額表示欄３８５を有しており、具体的に、図１３に示す例では、総額表示欄３８５に「２０００円」を表示している。
【０１９８】
操作員は、これらの「販売集計」および「在庫集計」の印字内容と、実際の売上金および残った当日の商品券Ｓの在庫（現物）とについて、一致確認を行うことになる。
【０１９９】
［洗い替え処理］
上記した集計処理の際に、売上金も合致し、また残った商品券Ｓの在庫数量も合致するものの、「在庫集計」の印字内容（データ）と、取引用保管庫１３内に残った当日の商品券Ｓの在庫（現物）との間で、券番号のみに相違が発生する場合がある。その要因としては、操作員が商品券払い出し操作の際に、商品券管理装置１６の操作表示部３１に表示される「最初の券番」および「最後の券番」の通りではなく、誤って間違った券番号の商品券Ｓをお客へ渡してしまったこと等が考えられる。
【０２００】
このような場合には、操作員はこれを訂正するべく、洗い替え処理操作として、商品券管理装置１６の操作表示部３１の在庫管理メニュー画面から「洗い替え」のメニューを選択する。すると、管理装置制御部３４は、操作表示部３１を、図１４に示すように、洗い替え画面４０１にして洗い替え処理を行う。具体的には、残った商品券Ｓの在庫の券番号つまりは現物の券番号を「正」として、商品券管理装置１６の記憶部３５に記憶されている券番号のデータの訂正を行うことができるようになっている。
【０２０１】
この洗い替え画面４０１は、額面千円の商品券Ｓ用の選択タブ４０２と、額面五百円の商品券Ｓ用の選択タブ４０３と、を含んでいる。
【０２０２】
図１４は、額面五百円の商品券Ｓ用の選択タブ４０３が押圧操作されて選択された状態を示しており、額面五百円の商品券Ｓの管理データ入力用のリスト表示部４０５を有している。
【０２０３】
リスト表示部４０５は、同じ版数で券番号が連番の商品券Ｓの版数の入力値を表示する版数入力値表示欄４１１と、これら商品券Ｓの連番の券番号を表示する券番号入力値表示欄４１２と、これら商品券Ｓの枚数を表示する枚数入力値表示欄４１３とを、同列の列表示４１５として表示している。版数入力値表示欄４１１には、記憶部３５に記憶されている額面五百円の商品券Ｓの管理データに含まれる版数のうち、最も枚数が多いものをデフォルトとして表示している。洗い替え画面４０１は、版数入力値表示欄４１１、券番号入力値表示欄４１２および枚数入力値表示欄４１３への入力操作が行われる入力操作部４２１と、「戻る」ボタン４２２と、「取消」ボタン４２３と、「登録」ボタン４２４とを含んでいる。
【０２０４】
入力操作部４２１は、数字を入力する際に操作されるテンキー部４３１と、テンキー部４３１により入力された数字を表示する数字表示欄４３２と、テンキー部４３１により入力された数字を消去する際に操作される「ＣＥ」ボタン４３３と、版数入力時に押圧操作される「版数」ボタン４３５と、券番号の入力時に押圧操作される「券番」ボタン４３６と、枚数の入力時に押圧操作される「枚数」ボタン４３７とを含んでいる。
【０２０５】
なお、洗い替え画面４０１は、額面千円の商品券Ｓ用の選択タブ４０２が押圧操作されて選択された状態でも、同様に、版数入力値表示欄と、券番号入力値表示欄と、枚数入力値表示欄とを有する列表示を複数有するリスト表示部と、入力操作が行われる入力操作部と、「戻る」ボタンと、「取消」ボタンと、「登録」ボタンとを含んでいる。
【０２０６】
具体的に、例えば、額面五百円の同じ版数で連番５枚の商品券Ｓのデータを洗い替え処理で入力する場合に、操作員は、まず、図１４に示すように、洗い替え画面４０１において、額面千円の商品券Ｓ用の選択タブ４０２と、額面五百円の商品券Ｓ用の選択タブ４０３とのうちから、額面五百円の商品券Ｓ用の選択タブ４０３を押圧操作して選択する。
【０２０７】
そして、操作員は、入力操作部４２１を用いて５枚共通の版数を入力する。ただし、版数入力値表示欄４１１に予め表示されているデフォルト値と同じであれば、後述する券番号から入力を行う。操作員は、入力操作部４２１のテンキー部４３１を操作して版数を入力し、入力された版数の数字表示欄４３２での表示を確認しつつ、「版数」ボタン４３５を押圧操作する。すると、管理装置制御部３４は、版数入力値表示欄４１１に、この入力された版数を表示させる。図１４では、版数がデフォルト値「１２３４５６７」であって、これを版数入力値表示欄４１１に表示している状態を示している。
【０２０８】
また、操作員は、入力操作部４２１を用いて、５枚それぞれに表示されている券番号のうちの最も小さい番号を入力する。すなわち、操作員は、入力操作部４２１のテンキー部４３１を操作して最も小さい券番号を入力し、入力された券番号の数字表示欄４３２での表示を確認しつつ、「券番」ボタン４３６を押圧操作する。すると、管理装置制御部３４は、図１４に示すように、券番号入力値表示欄４１２の前半部分に、この入力された券番号を末尾に「〜」をつけて表示させる。図１４では、最も小さい券番号として「１００００４０１」が入力され、「１００００４０１〜」を券番号入力値表示欄４１２の前半部分に表示している場合を示している。
【０２０９】
さらに、操作員は、入力操作部４２１を用いて、洗い替え処理を行う商品券Ｓの枚数を入力する。すなわち、操作員は、入力操作部４２１のテンキー部４３１を操作して枚数を入力し、入力された枚数の数字表示欄４３２での表示を確認しつつ、「枚数」ボタン４３７を押圧操作する。すると、管理装置制御部３４は、枚数入力値表示欄４１３に、この入力された枚数を表示させる。図１４では、枚数として「５」が入力され、これを枚数入力値表示欄４１３に表示している場合を示している。
【０２１０】
このとき、管理装置制御部３４は、この入力された枚数から１減算した値を、先に入力された最も小さい券番号に加算して最も大きい番号を算出し、これを図１４に示すように、券番号入力値表示欄４１２の後半部分に表示させる。図１４では、入力された最も小さい券番号「１００００４０１」に対し、枚数として５枚が入力されることで、最も大きい番号として「１００００４０５」を算出し、これを券番号入力値表示欄４１２の後半部分に表示している場合を示している。
【０２１１】
なお、券番号が連番ではなく、飛び飛びになっている商品券Ｓについては、操作者が、洗い替え処理において、１枚ずつ個別に、版数および券番号を入力する。
【０２１２】
上記のような入力を順に行うことで、取引用保管庫１３内に残った商品券Ｓの管理データを作成し直すことになる。すると、リスト表示部４０５の複数列の列表示４１５が埋められることになるが、その途中または最後に、間違った列表示４１５を削除したい場合は、操作者が間違った列表示４１５を押圧操作する。なお、複数の列表示４１５を削除したい場合は、操作者は間違った複数の列表示４１５を押圧操作する。
【０２１３】
すると、管理装置制御部３４は、押圧操作された列表示４１５を、押圧操作されていない基本表示パターンの列表示４１５とは異なる選択済み表示パターンとして、視覚的に明確に区別する。例えば、列表示４１５の基本表示パターンは、背景が白色でテキストが黒色とされる一方、列表示４１５の選択済み表示パターンは、背景が緑色でテキストが黒色とされる。複数の列表示４１５が押圧操作されると、これらの列表示４１５をすべて選択済み表示パターンとする。
【０２１４】
この状態で、「取消」ボタン４２３が押圧操作されると、管理装置制御部３４は、選択済み表示パターンとされたすべての列表示４１５を消去する。
【０２１５】
取引用保管庫１３内に残った商品券Ｓのすべてのデータを入力し終わった後、操作員が、「登録」ボタン４２４を押圧操作すると、管理装置制御部３４は、今回の洗い替え処理で入力された商品券Ｓの版数および券番号に、過去の入庫処理において入力されて記憶部３５に記憶されている、未補充の管理データの商品券Ｓの版数および券番号に含まれているものがあるか否かを照合し、ある場合は、このデータをエラーデータとするとともに、図１５に示すように、洗い替え画面４０１上にポップアップ画面４４１を表示して、大金庫１２にある商品券Ｓと版数および券番号が重複している旨のエラー表示を表示するとともに、音声出力部３２にエラー音声を発生させる。
【０２１６】
操作者が、ポップアップ画面の「はい」ボタン４４２を押圧操作すると、管理装置制御部３４は、ポップアップ画面を消去するとともに、洗い替え画面４０１において、エラーデータを含む列表示４１５を自動的に選択済み表示パターンとして表示する。これにより、操作員は、「取消」ボタン４２３を押圧操作して、選択済み表示パターンとして表示された、重複しているデータを含む列表示４１５を消去して入力し直す。
【０２１７】
また、上記のように「登録」ボタン４２４が押圧操作されると、管理装置制御部３４は、今回の洗い替え処理で入力された商品券Ｓの版数および券番号に、過去の入庫処理において入力されて記憶部３５に記憶されている管理データの商品券Ｓの版数および券番号に含まれていないものがあるか否かを照合し、ある場合は、このデータをエラーデータとする。それとともに、版数が過去に記憶されていない場合は、例えば「入力された版数は、過去に入庫履歴がありません。」等の、版数が過去に記憶されていない旨のエラー表示を含むポップアップ画面を洗い替え画面４０１上に表示するとともに、音声出力部３２にエラー音声を発生させる。他方、券番号が過去に記憶されていない場合は、例えば「入力された券番号は、過去に入庫履歴がありません。」等の、券番号が過去に記憶されていない旨のエラー表示を含むポップアップ画面を洗い替え画面４０１上に表示するとともに、音声出力部３２にエラー音声を発生させる。
【０２１８】
この場合も、操作者が、ポップアップ画面の「はい」ボタンを押圧操作すると、管理装置制御部３４は、ポップアップ画面を消去するとともに、洗い替え画面４０１において、エラーデータを含む列表示４１５を自動的に選択済み表示パターンとして表示する。これにより、操作員は、「取消」ボタン４２３を押圧操作して、選択済み表示パターンとして表示された、過去に記憶されていないデータを含む列表示４１５を消去して入力し直す。
【０２１９】
また、上記のように「登録」ボタン４２４が押圧操作された際に、今回の洗い替え処理で入力された商品券Ｓの版数および券番号に、過去の入庫処理において入力されて記憶部３５に記憶されている、未補充の管理データの商品券Ｓの版数および券番号に含まれているものがなく、かつ、過去の入庫処理において入力されて記憶部３５に記憶されている管理データの商品券Ｓの版数および券番号に含まれていないものがなければ、管理装置制御部３４は、「登録」ボタン４２４が押圧操作された日時と、これらの入力された情報とを、取引用保管庫１３内に残った額面五百円の商品券Ｓの管理データとして、それまで記憶部３５に記憶されていた、取引用保管庫１３内に残った額面五百円の商品券Ｓの管理データにかえて記憶する。
【０２２０】
額面千円の商品券Ｓの管理データを洗い替え処理する場合に、操作者は、洗い替え画面４０１において、額面千円の商品券Ｓ用の選択タブ４０２と、額面五百円の商品券Ｓ用の選択タブ４０３とのうちから、額面千円の商品券Ｓ用の選択タブ４０２を押圧操作して選択した後、上記と同様の処理を行う。
【０２２１】
以上により、取引用保管庫１３内の商品券Ｓの在庫について現物の券番号と記憶部３５に記憶されている在庫の券番号との不一致が確認された際に、操作表示部３１は、当該不一致が確認された商品券Ｓすべてについて一致するよう補正を行う洗い替え操作が可能である。
【０２２２】
また、操作表示部３１で洗い替え操作が行われた際に、当日の取引開始前に記憶部３５に記憶されていた商品券Ｓの券番号以外の券番号に補正を行おうとした際に、管理装置制御部３４がこれを検知して、操作表示部３１および音声出力部３２に警告を行わせる。
【０２２３】
以上に述べた商品券管理システム１１は、操作表示部３１が、入力される商品券Ｓの取り扱い操作に応じて、管理装置制御部３４および記憶部３５で管理される券番号の情報を表示する。これにより、商品券Ｓの券番号を機械的に読み取るリーダが備えられていなくても、券番号と関連付けた商品券Ｓの在庫の管理が可能になる。したがって、券番号の情報を活用しつつ低コスト化が可能となって、廉価版のシステムを実現することができる。
【０２２４】
また、管理装置制御部３４および記憶部３５は、大金庫１２内の商品券Ｓおよび取引用保管庫１３内の商品券Ｓの在庫を管理するため、大金庫１２内から必要とする一部の商品券Ｓを取引用保管庫１３で商品券売り場へ移送する運用であっても、大金庫１２および商品券売り場各々での商品券Ｓの管理が可能になる。
【０２２５】
また、操作表示部３１によって商品券Ｓの端数枚数での払い出し操作が行われると、管理装置制御部３４および記憶部３５で管理されているバラ券Ｓ（ｂ）の最も小さい券番号と、この最も小さい券番号に当該端数枚数を加算して１を減算した券番号との両方を操作表示部３１に表示する。このように、バラ状態の商品券Ｓの払い出し操作が行われた際に、その最初の券番号と最後の券番号とが自動で操作表示部３１に表示されるので、払い出しの際の商品券Ｓの現物チェックが券番号によって可能となる。
【０２２６】
また、操作表示部３１によって商品券Ｓの所定の纏まった枚数での払い出し操作が行われ、管理装置制御部３４および記憶部３５で管理される束状態の商品券Ｓの最も小さい券番号が最初の券番号として入力されると、管理装置制御部３４および記憶部３５で管理される当該束状態の商品券Ｓの最も大きい券番号を最後の券番号として操作表示部３１に表示する。このように、束状態の商品券Ｓの払い出し操作が行われた際に、その最初の券番号が入力されると、最後の券番号が自動で操作表示部３１に表示されるので、払い出しの際の商品券Ｓの現物チェックが券番号によって可能となる。
【０２２７】
また、取引用保管庫１３内の商品券Ｓの在庫について現物の券番号と記憶部３５に記憶されている在庫の券番号との不一致が確認された際に、操作表示部３１は、当該不一致が確認された商品券Ｓのすべてについて一致するよう補正を行う洗い替え操作が可能である。よって、間違った券番号の商品券Ｓをお客へ渡してしまったような場合でも、洗い替え操作によって、残った在庫の商品券Ｓについて、記憶部３５に記憶された券番号を、正しい現物の商品券Ｓの券番号に訂正することが可能となる。
【０２２８】
また、操作表示部３１で洗い替え操作が行われた際に、当日の取引開始前に記憶部３５に記憶されていた商品券Ｓの券番号以外の券番号に補正を行おうとした際に、管理装置制御部３４がこれを検知して、操作表示部３１および音声出力部３２に警告を行わせる。このように、洗い替え操作の際に、訂正できない券番号が入力された場合には警告が行われるので、操作員にオペレーションミスを気づかせることが可能となる。
【０２２９】
また、操作表示部３１は、入力された商品券Ｓの券番号を払い出し対象から排除する排除処理が可能であるため、商品券Ｓに不備（汚れや破れ等）が発覚した場合に、当該商品券Ｓを払い出し対象から排除すると共に、当該商品券Ｓの券番号を管理可能になる。
【０２３０】
以上の実施形態を以下の変形例１，２のように変更することが可能である。
【０２３１】
「変形例１」
券束Ｓ（ａ）の状態（２００枚）での払い出し処理の際には、前述したように、「最初の券番」入力値表示欄１９５に券束Ｓ（ａ）の状態（２００枚）の商品券Ｓの先頭である一番小さい券番号（例えば、「２００００００１」）を入力すれば良い旨説明したが、これは券束Ｓ（ａ）の状態の商品券Ｓの商品券売り場での在庫が複数束あることを想定しているものである。したがって、記憶部３５の管理データから、商品券売り場での券束Ｓ（ａ）の状態の商品券Ｓの在庫が１束のみと管理装置制御部３４が認識できている場合には、「最初の券番」入力値表示欄１９５に操作入力を必要とするまでもなく、記憶部３５に記憶されている当該１束の商品券Ｓの最小の券番号を「最初の券番」入力値表示欄１９５に自動表示させ、最大の券番号を「最後の券番」表示欄１９６に自動表示させるようにしても良い。
【０２３２】
「変形例２」
バラ状態（２００枚未満）のバラ券Ｓ（ｂ）の払い出し処理の際に、バラ状態の商品券Ｓの商品券売り場での在庫が無い場合には、その旨の表示もしくは券束Ｓ（ａ）の状態（２００枚）の商品券Ｓをバラしての払い出し操作が必要な旨の表示を、操作表示部３１に表示させるようにしても良い。
【０２３３】
なお、以上においては、金券類管理システムの実施形態として、金券類として商品券Ｓを取り扱う商品券管理システム１１を例にとり説明したが、識別用の券番号が付されていれば商品券Ｓに限らず、他の金券類を取り扱う種々の金券類管理システムに適用可能である。
【０２３４】
なお、以上において説明した、払い出し処理が行われる「商品券払い出し」のメニューは、基本、来店したお客から注文を受けて、その場で商品券の払い出し処理を行ってお客へ販売するケースである。しかしながら、これに限らず、お客から電話等で商品券Ｓの購入予約の申し込みがあり、翌日以降に購入に来られるケースも存在する。このケースにおいては、通常の「商品券払い出し」メニューで払い出し処理を行うと、当日販売しない商品券の売上金額が当日の販売集計にデータ計上されてしまうという不都合が発生しうることになる。そこで、これに対応して、「商品券予約払い出し」のメニューが備えられており、例えば、商品券Ｓの払い出しを行う際の図８の商品券払出画面１５１に対し、商品券Ｓの予約払い出しを行う商品券予約払出画面１５１Ａは、図１６のようになり、商品券Ｓの払い出しを行う際の図９の商品券払出画面１９１に対し、商品券Ｓの予約払い出しを行う商品券予約払出画面１９１Ａは、図１７のようになる。
【０２３５】
つまり、図８と図１６とを、あるいは、図９と図１７とを比較すると分かるように、メニュー画面の名称表示のみが「商品券払い出し」と「商品券予約払い出し」とで異なるだけとなっている。即ち、商品券Ｓの予約払い出し操作の内容は、上記した商品券Ｓの払い出し操作の内容と同様の要領で商品券Ｓの払い出しを行うが、未だ購入予約申し込みの段階であって売上が立っていないので、当日の販売集計にはデータ計上されず、これとは異なって独立した予約集計にデータ計上されることになる。すなわち、予約払い出し操作での商品券Ｓの払い出しデータは販売集計には計上されず、予約集計に計上される。また、払い出しが行われた商品券Ｓは、通常の在庫分と区別が付くように所定のケースに収納されて、お客が来店するまで保管される。このように、予約払い出し操作での商品券Ｓの払い出しデータは販売集計には計上されず、予約集計に計上されるため、売上が立っていない予約払い出し操作での金券類の払い出しデータを、販売集計に計上しないようにできる。
【０２３６】
そして、前述した商品券Ｓの購入予約の申し込みを行ったお客が来店し、予約した商品券Ｓの購入を申し入れると、操作員は、商品券管理装置１６の操作表示部３１の在庫管理メニュー画面から「集計」のメニューを選択し、さらに当該「集計」のメニューの中の「予約集計」を選択する。すると、購入予約の申し込み受付処理をしたお客に対応する予約受付番号またはお客の名前毎の商品券データ一覧と、これらの合計である商品券データ合計とが操作表示部３１に表示されるようになっている。
【０２３７】
続いて、操作員が来店したお客に対応する予約受付番号またはお客の名前の商品券データを操作表示部３１から選択して、さらに操作表示部３１の販売釦を押下すると、当該選択された商品券データは「予約集計」画面の中から消去され、また、その分の商品券データが商品券データ合計から減算されて表示される。そして替わりに、当該選択された商品券データは販売を行った当日の「販売集計」の方にデータ計上される。つまり、予約集計の中から販売する商品券Ｓのデータが選択されると、この選択された販売する商品券Ｓのデータが「予約集計」から「販売集計」に付け替えられることになる。これにより、売上が立った商品券Ｓの払い出しデータを、「予約集計」から「販売集計」に付け替えることができる。
【０２３８】
続いて、操作員は、予約受付番号またはお客の名前に対応する所定のケースに保管していた商品券をお客に販売すべく、代金と引き替えに、お客へ渡すことになる。
【０２３９】
また、「在庫集計」についても付言しておくと、商品券Ｓの予約払い出しを行った時点で当該予約払い出しを行った分の商品券データを「在庫集計」から減算するようにしても良いし、もしくは、商品券Ｓの予約払い出しを行った時点では当該予約払い出しを行った分の商品券データを「在庫集計」から減算せず、お客が来店して販売釦を押下した際に初めて「在庫集計」から減算するようにしても良い。
【０２４０】
また、「予約集計」をプリンタ３３によって印字する場合についても付言しておくと、図１８に示すような「予約集計」単独で印字されるようにしても良いし、図１９に示すような「在庫集計」の印字に包含されて印字されるようにしても良い。
【符号の説明】
【０２４１】
１１  商品券管理システム（金券類管理システム）
１２  大金庫
１３  取引用保管庫
３１  操作表示部（入力手段，操作手段，表示手段，警告手段）
３２  音声出力部（警告手段）
３４  管理装置制御部（管理手段）
３５  記憶部（管理手段）
Ｓ  商品券（金券類）
Ｓ（ａ）  券束
Ｓ（ｂ）  バラ券
【図１】
2020126605.tif 000003
【図２】
2020126605.tif 000004
【図３】
2020126605.tif 000005
【図４】
2020126605.tif 000006
【図５】
2020126605.tif 000007
【図６】
2020126605.tif 000008
【図７】
2020126605.tif 000009
【図８】
2020126605.tif 000010
【図９】
2020126605.tif 000011
【図１０】
2020126605.tif 000012
【図１１】
2020126605.tif 000013
【図１２】
2020126605.tif 000014
【図１３】
2020126605.tif 000015
【図１４】
2020126605.tif 000016
【図１５】
2020126605.tif 000017
【図１６】
2020126605.tif 000018
【図１７】
2020126605.tif 000019
【図１８】
2020126605.tif 000020
【図１９】
2020126605.tif 000021